(57)【要約】  本明細書は、小型セルシナリオで使われることができる、ディスカバリのために使用可能な構成を受信するための方法及びＵＥを提供する。より詳しくは、前記ＵＥは、ディスカバリ信号に対する測定構成を受信するように構成され、前記ディスカバリ信号は、ＣＲＳ、ＰＳＳ、及びＳＳＳを含む。前記ディスカバリは、チャネル状態情報参照信号（ＣＳＩ−ＲＳ：ｃｈａｎｎｅｌ  ｓｔａｔｕｓ  ｉｎｆｏｒｍａｔｉｏｎ−ｒｅｆｅｒｅｎｃｅ  ｓｉｇｎａｌ）の構成に依存する前記ＣＳＩ−ＲＳをさらに含む。前記測定構成は、少なくとも一つのセットの構成要素を含む。前記ＵＥは、前記受信された構成に基づいて前記ディスカバリ信号に対する測定を実行する。また、前記ＵＥは、ゼロ電力ＣＳＩ−ＲＳのために使われる少なくとも一つのセットのＣＳＩ−ＲＳ構成要素を含むチャネル状態情報参照信号（ＣＳＩ−ＲＳ）構成を受信し、前記ＣＳＩ−ＲＳ構成は、少なくとも一つのセットのＣＳＩ−ＲＳ構成要素を含み、各々のセットのＣＳＩ−ＲＳ構成要素は、ＣＳＩ−ＲＳインターバル情報とＣＳＩ−ＲＳオフセット情報を含む。【選択図】図１１
2017512443.tif 000002
【特許請求の範囲】
【請求項１】
端末（ＵＥ：ｕｓｅｒ  ｅｑｕｉｐｍｅｎｔ）により実行される、無線通信システムにおける信号を受信するための制御情報を受信する方法であって、
ディスカバリ信号に対する測定構成を受信するステップであって、前記ディスカバリ信号は、セル特定参照信号（ＣＲＳ：ｃｅｌｌ−ｓｐｅｃｉｆｉｃ  ｒｅｆｅｒｅｎｃｅ  ｓｉｇｎａｌ）、主同期信号（ＰＳＳ：ｐｒｉｍａｒｙ  ｓｙｎｃｈｒｏｎｉｚａｔｉｏｎ  ｓｉｇｎａｌ）、副同期信号（ＳＳＳ：ｓｅｃｏｎｄａｒｙ  ｓｙｎｃｈｒｏｎｉｚａｔｉｏｎ  ｓｉｇｎａｌ）を含み、前記ディスカバリは、チャネル状態情報参照信号（ＣＳＩ−ＲＳ：ｃｈａｎｎｅｌ  ｓｔａｔｕｓ  ｉｎｆｏｒｍａｔｉｏｎ−ｒｅｆｅｒｅｎｃｅ  ｓｉｇｎａｌ）の構成に依存する前記ＣＳＩ−ＲＳをさらに含み、前記ＣＳＩ−ＲＳの前記構成は、前記ＣＳＩ−ＲＳのインターバルと前記ＣＳＩ−ＲＳのオフセットとを含み、前記測定構成は、構成要素の少なくとも一つのセットを含み、前記構成要素の前記各々のセットは、前記ディスカバリ信号の測定周期、前記測定周期のオフセット、及び前記端末が前記測定周期の一周期で前記ディスカバリ信号を測定する測定期間（ｄｕｒａｔｉｏｎ）を指示する、ステップと、
前記測定構成に基づいて前記ディスカバリ信号に対する測定を実行するステップと、を含み、
前記端末は、ゼロ電力ＣＳＩ−ＲＳのために使われるＣＳＩ−ＲＳ構成要素の少なくとも一つのセットを含むチャネル状態情報参照信号（ＣＳＩ−ＲＳ）構成をさらに受信し、前記ＣＳＩ−ＲＳ構成は、ＣＳＩ−ＲＳ構成要素の少なくとも一つのセットを含み、ＣＳＩ−ＲＳ構成要素の各々のセットは、ＣＳＩ−ＲＳインターバル情報とＣＳＩ−ＲＳオフセット情報とを含む、方法。
【請求項２】
時分割複信（ＴＤＤ）サブフレーム内で割当を変化させる、改良された干渉軽減及びトラフィック適応（ｅＩＭＴＡ：ｅｎｈａｎｃｅｄ  Ｉｎｔｅｒｆｅｒｅｎｃｅ  Ｍｉｔｉｇａｔｉｏｎ＆Ｔｒａｆｆｉｃ  Ａｄａｐｔａｔｉｏｎ）が前記端末で使われる場合、前記ディスカバリ信号に対する前記測定は、システム情報ブロック（ＳＩＢ：ｓｙｓｔｅｍ  ｉｎｆｏｒｍａｔｉｏｎ  ｂｌｏｃｋ）により割り当てられるＴＤＤダウンリンクサブフレームでのみ実行される、請求項１に記載の方法。
【請求項３】
前記構成要素の各々のセットは、対応するセルの周波数毎に定義される、請求項１に記載の方法。
【請求項４】
ＣＳＩ−ＲＳ構成要素の前記少なくとも一つのセットがＣＳＲ−ＲＳ構成要素の複数のセットを含む場合、ＣＳＩ−ＲＳ構成要素の各々のセットは、ＣＳＩ−ＲＳインターバル情報とＣＳＩ−ＲＳオフセット情報とを含み、ＣＳＩ−ＲＳ構成要素の各々のセットは、別々に構成される、請求項１に記載の方法。
【請求項５】
測定ギャップの長さ及び繰り返し周期を指示する測定ギャップ構成を受信するステップをさらに含み、
前記ディスカバリ信号の測定周期は、前記測定ギャップの繰り返し周期の倍数になるように設定される、請求項１に記載の方法。
【請求項６】
前記ディスカバリ信号の測定周期は、４０ｍｓｅｃ、８０ｍｓｅｃ、及び１６０ｍｓｅｃの一つになるように設定される、請求項５に記載の方法。
【請求項７】
前記ディスカバリ信号に対する測定構成は、無線リソース制御（ＲＲＣ：ｒａｄｉｏ  ｒｅｓｏｕｒｃｅ  ｃｏｎｔｒｏｌ）メッセージを介して受信される、請求項１に記載の方法。
【請求項８】
前記ＲＲＣメッセージは、ＲＲＣ接続モードにある前記端末で受信される、請求項７に記載の方法。
【請求項９】
前記ディスカバリ信号に対する前記測定は、前記測定周期の一周期で前記ＳＳＳを伝送する１番目のサブフレームに対して開始される、請求項１に記載の方法。
【請求項１０】
一周波数に対して定義される前記構成要素のセットは、単一測定周期、単一オフセット、及び単一測定期間を含む、請求項１に記載の方法。
【請求項１１】
前記構成要素の前記各々のセットは、同じ周波数を有する複数のセルに適用される、請求項１に記載の方法。
【請求項１２】
前記端末のマクロセルのシステムフレームナンバー（ＳＦＮ：ｓｙｓｔｅｍ  ｆｒａｍｅ  ｎｕｍｂｅｒ）は、前記端末が前記ディスカバリ信号に対して前記測定を実行する期間に参照として使われる、請求項１に記載の方法。
【請求項１３】
前記端末の前記マクロセルは、前記端末の主セル（Ｐ−ｃｅｌｌ：ｐｒｉｍａｒｙ  ｃｅｌｌ）である、請求項１２に記載の方法。
【請求項１４】
端末は、マルチメディア放送／マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）のサービスに対して構成されるサブフレーム内で前記ディスカバリ信号に対する測定を実行しない、請求項１に記載の方法。
【請求項１５】
無線通信システムにおける信号を受信するために制御情報を受信するための端末（ＵＥ：ｕｓｅｒ  ｅｑｕｉｐｍｅｎｔ）であって、
信号を受信するように構成される無線周波数（ＲＦ：ｒａｄｉｏ  ｆｒｅｑｕｅｎｃｙ）部と、
前記ＲＦ部に連結され、ディスカバリ信号に対する測定構成を受信し、前記測定構成に基づいて前記ディスカバリ信号に対する測定を実行するように構成されるプロセッサと、を含み、
前記ディスカバリ信号は、セル特定参照信号（ＣＲＳ：ｃｅｌｌ−ｓｐｅｃｉｆｉｃ  ｒｅｆｅｒｅｎｃｅ  ｓｉｇｎａｌ）、主同期信号（ＰＳＳ：ｐｒｉｍａｒｙ  ｓｙｎｃｈｒｏｎｉｚａｔｉｏｎ  ｓｉｇｎａｌ）、副同期信号（ＳＳＳ：ｓｅｃｏｎｄａｒｙ  ｓｙｎｃｈｒｏｎｉｚａｔｉｏｎ  ｓｉｇｎａｌ）を含み、前記ディスカバリは、チャネル状態情報参照信号（ＣＳＩ−ＲＳ：ｃｈａｎｎｅｌ  ｓｔａｔｕｓ  ｉｎｆｏｒｍａｔｉｏｎ−ｒｅｆｅｒｅｎｃｅ  ｓｉｇｎａｌ）の構成に依存する前記ＣＳＩ−ＲＳをさらに含み、前記ＣＳＩ−ＲＳの前記構成は、前記ＣＳＩ−ＲＳのインターバルと前記ＣＳＩ−ＲＳのオフセットとを含み、前記測定構成は、構成要素の少なくとも一つのセットを含み、前記構成要素の前記各々のセットは、前記ディスカバリ信号の測定周期、前記測定周期のオフセット、及び前記端末が前記測定周期の一周期で前記ディスカバリ信号を測定する測定期間（ｄｕｒａｔｉｏｎ）を指示し、
前記端末は、ゼロ電力ＣＳＩ−ＲＳのために使われるＣＳＩ−ＲＳ構成要素の少なくとも一つのセットを含むチャネル状態情報参照信号（ＣＳＩ−ＲＳ）構成をさらに受信し、前記ＣＳＩ−ＲＳ構成は、ＣＳＩ−ＲＳ構成要素の少なくとも一つのセットを含み、ＣＳＩ−ＲＳ構成要素の各々のセットは、ＣＳＩ−ＲＳインターバル情報とＣＳＩ−ＲＳオフセット情報とを含む、端末。
【発明の詳細な説明】
【技術分野】
【０００１】
本明細書は、ディスカバリ信号のために使われる制御情報を受信する方法に関し、より詳しくは、端末（ＵＥ）でディスカバリ参照信号（ｄｉｓｃｏｖｅｒｙ  ｒｅｆｅｒｅｎｃｅ  ｓｉｇｎａｌ）を測定するために使われる構成情報を受信する方法に関する。
【背景技術】
【０００２】
ユニバーザルモバイルテレコミュニケーションシステム（ＵＭＴＳ）の改良されたバージョンである第３世代パートナーシッププロジェクト（３ＧＰＰ）ロングタームエボリューション（ＬＴＥ）は、３ＧＰＰリリース８として紹介される。前記３ＧＰＰ  ＬＴＥは、ダウンリンクに対して直交周波数分割多重接続（ＯＦＤＭＡ）を使用し、アップリンクに対して単一搬送波−周波数分割多重接続（ＳＣ−ＦＤＭＡ）を使用し、そして４個のアンテナまで有する多重入力多重出力（ＭＩＭＯ）を採択する。最近、前記３ＧＰＰ  ＬＴＥの改良された３ＧＰＰ  ＬＴＥ−ａｄｖａｎｃｅｄ（ＬＴＥ−Ａ）に対する議論が行われている。
【０００３】
前記３ＧＰＰ  ＬＴＥ（Ａ）システムの商業化が最近になって加速化されている。前記ＬＴＥシステムは、音声サービスだけでなく、移動性を保証しながら、より高い品質及びより大きい容量をサポートすることができるサービスに対するユーザの要求に対する応答としてより迅速に拡散されている。小さい送信遅延、高い送信レート及びシステム容量、及び向上したカバレッジのために前記ＬＴＥシステムが提供される。
【０００４】
前記ユーザのサービスの要求のための容量を満たすために、帯域幅を増加させることが必須であり、周波数領域で複数の物理的に非連続的な帯域をグループ化することによって、論理的により広い帯域が使われることができるような効果を取得することを目標とするキャリアアグリゲーション（ＣＡ：ｃａｒｒｉｅｒ  ａｇｇｒｅｇａｔｉｏｎ）技術またはイントラノード搬送波またはインターノード搬送波にわたったリソースアグリゲーションが断片化された（ｆｒａｇｍｅｎｔｅｄ）小さい帯域を効果的に利用するために開発されてきた。キャリアアグリゲーションによりグループ化された個別ユニット搬送波は、コンポーネントキャリア（ＣＣ）として知られている。各々のノードに対して、インターノードリソースアグリゲーションのために、搬送波グループ（ＣＧ）は、一つのＣＧが多重ＣＣを有する場合を設定することができる。各々のＣＣは、単一帯域幅及び中心周波数により定義される。
【０００５】
最近、ピコセル、フェムトセルなどのような、小さい大きさを有する多様な類型の小型セルが相対的に大きい大きさを有するマクロセルと相互作用するように無線接続ネットワーク構成が変更された。前記無線接続ネットワーク構成は、最終ＵＥに高いデータレートを提供して、多重階層セルが基本的にマクロセルと関連する階層構造内で共存する状況で、前記最終ＵＥに対して体感品質（ＱｏＥ：Ｑｕａｌｉｔｙ  ｏｆ  Ｅｘｐｅｒｉｅｎｃｅ）を向上させることが目標である。
【０００６】
現在、第３世代パートナーシッププロジェクト（３ＧＰＰ）標準化範ちゅうのうち一つによると、Ｅ−ＵＴＲＡのための小型セル向上（Ｓｍａｌｌ  Ｃｅｌｌ  Ｅｎｈａｎｃｅｍｅｎｔｓ  ｆｏｒ  Ｅ−ＵＴＲＡ）及びＥ−ＵＴＲＡＮ  ＳＩ（Ｓｔｕｄｙ  Ｉｔｅｍ）、例えば、ＲＰ−１２２０３３、低電力ノードを利用する室内／室外（ｉｎｄｏｏｒ／ｏｕｔｄｏｏｒ）シナリオの向上が小型セル向上という名称下で議論される。追加的に、小型セル向上に対するシナリオ及び要求事項は、３ＧＰＰ  ＴＲ  ３６．９３２で記述される。
【０００７】
さらに、二重接続下で小型セル、ピコセルなどのような小型セルの利用は、現在多くの分野で成長している。前記小型セルとＵＥとの間の通信を適切に実行するために、参照信号及び同期信号のような既存の制御信号と関連する改良が議論されてきた。
【発明の概要】
【発明が解決しようとする課題】
【０００８】
最近、ディスカバリ参照信号（ＤＲＳ：ｄｉｓｃｏｖｅｒｙ  ｒｅｆｅｒｅｎｃｅ  ｓｉｇｎａｌ）に対する多数の問題が議論された。本明細書の目的は、無線通信において、ＤＲＳを提供する改良された方式を提供するための方法及び装置を提供することである。より詳しくは、本明細書は、ＤＲＳとして使われることができる候補と関連する詳細な実施例を提案する。また、本明細書は、測定ギャップと前記ＤＲＳとの間の調整（ａｌｉｇｎｍｅｎｔ）に対する説明及び／または実施例を提供する。また、本明細書は、前記ＤＲＳの測定タイミングと関連する構成の実施例を提供する。このような実施例において、詳細な構成要素がセルに対応する、各々の周波数毎に定義される。本明細書は、多数のセルに対する非調整（ｍｉｓａｌｉｇｎｍｅｎｔ）に対する説明及び／または実施例を提供する。また、本明細書は、ＤＲＳ動作のコンテキストで時分割複信（ＴＤＤ）構成を動的に変更させる、改良された干渉緩和及びトラフィック適応（ｅＩＭＴＡ）に対する説明及び／または実施例を提供する。
【０００９】
本明細書の前述された目的に対して、本明細書は多数の追加的な特徴を提案し、そして、前述された目的は例示の目的として導入されるため、本明細書の目的は前述された目標に限定されるものではないことに注目しなければならない。
【課題を解決するための手段】
【００１０】
本明細書の実施例は、無線通信システムにおける信号を受信するために制御情報を受信する方法を提供し、前記方法は、端末（ＵＥ）により実行される。また、本明細書は、前記提案された方法を実行するための無線機器、例えば、ＵＥを提案する。
【００１１】
好ましくは、前記ＵＥは、ディスカバリ信号（ｄｉｓｃｏｖｅｒｙ  ｓｉｇｎａｌ）に対する測定構成（ｍｅａｓｕｒｅｍｅｎｔ  ｃｏｎｆｉｇｕｒａｔｉｏｎ）を受信するように構成され、前記ディスカバリ信号は、セル特定参照信号（ＣＲＳ）、主同期信号（ＰＳＳ）及び副同期信号（ＳＳＳ）を含む。
【００１２】
追加的に、前記ディスカバリ信号は、前記ＣＳＩ−ＲＳの構成に依存するチャネル状態情報参照信号（ＣＳＩ−ＲＳ）をさらに含む。
【００１３】
前記測定構成は、構成要素のうち少なくとも一つのセットを含み、前記構成要素の各々のセットは、対応するセルの周波数毎に定義される。より詳しくは、前記構成要素の各々のセットは、前記ディスカバリ信号の測定周期、前記測定周期のオフセット、及び前記ＵＥが前記測定周期のうち一周期で前記ディスカバリ信号を測定する測定期間を指示する。
【００１４】
好ましくは、前記ディスカバリ信号に対する前記測定構成は、無線リソース制御（ＲＲＣ）メッセージを介して受信される。さらに、前記ＲＲＣメッセージは、ＲＲＣ接続モードにある前記ＵＥで受信される。前記ディスカバリ信号に対する前記測定は、前記測定周期の一周期で前記ＳＳＳを伝送する１番目のサブフレームに対して開始される。また、一周波数に対して定義される前記構成要素のセットは、測定周期、単一オフセット、及び単一測定期間を含む。前記構成要素の前記各々のセットは、同じ周波数を有する複数のセルに適用される。
【００１５】
前記ＵＥは、前記ディスカバリ信号の測定周期、前記測定周期のオフセット、及び前記測定期間に基づいて前記ディスカバリ信号に対する測定を実行するように構成される。
【００１６】
追加的に、前記ＵＥは、測定ギャップの長さ及び繰り返し周期を指示する測定ギャップ構成を受信するステップをさらに含み、前記ディスカバリ信号の前記測定周期は、前記測定ギャップの繰り返し周期の倍数（ｍｕｌｔｉｐｌｅ）になるように設定される。
【００１７】
追加的に、ｅＩＭＴＡ（ｅｎｈａｎｃｅｄ  Ｉｎｔｅｒｆｅｒｅｎｃｅ  Ｍｉｔｉｇａｔｉｏｎ＆Ｔｒａｆｆｉｃ  Ａｄａｐｔａｔｉｏｎ）が前記ＵＥのために実行される場合、前記ＵＥでのディスカバリ信号に対する測定は、ＳＩＢにより割り当てられるＴＤＤダウンリンクサブフレームでのみ実行される。
【００１８】
追加的に、前記ＵＥは、ゼロ電力チャネル状態情報参照信号（ＣＳＩ−ＲＳ）に対して使われるＣＳＩ−ＲＳ構成要素のうち少なくとも一つのセットを含むＣＳＩ−ＲＳ構成を受信するステップをさらに含む。前記ＣＳＩ−ＲＳ構成は、ＣＳＩ−ＲＳ構成要素の複数のセットを含み、ＣＳＩ−ＲＳ構成要素の各々のセットは、ＣＳＩ−ＲＳインターバル情報及びＣＳＩ−ＲＳオフセット情報を含み、ＣＳＩ−ＲＳ構成要素の各々のセットは、別々に構成される。
【００１９】
追加的に、ＭＢＭＳサブフレーム及び／またはＭＢＭＳサービスを受信するように期待される前記ＵＥは、対応するサブフレームでディスカバリ信号を受信するように期待されることができない。
【００２０】
前記実施例を実行する場合、前記ＵＥのマクロセルのシステムフレームナンバー（ＳＦＮ）は、前記ＵＥが前記ディスカバリ信号に対して測定を実行する期間に参照として使われる。
【発明の効果】
【００２１】
本明細書によると、ＤＲＳとして使われることができる候補を説明する改良された例が提案される。また、測定ギャップと前記ＤＲＳとの間の調整を説明する改良された例が本発明で提案される。また、前記ＤＲＳの測定タイミングと関連する改良された例が提案される。また、前記ＤＲＳの測定タイミングと関連する構成と関連する改良された例が提案される。また、多数のセルに対する非調整に対する改良された例が提案される。また、前記ｅＩＭＴＡと関連する改良された例が本明細書で提案される。
【図面の簡単な説明】
【００２２】
【図１】本明細書が適用される無線通信システムを示す。
【図２】本明細書の例示的な実施例に係るキャリアアグリゲーション（ＣＡ：ｃａｒｒｉｅｒ  ａｇｇｒｅｇａｔｉｏｎ）に対する例示的な概念を示す。
【図３】本明細書が適用される無線フレームの構造を示す。
【図４】基本ＣＰ及び拡張ＣＰで使われる同期信号の例を示す。
【図５】副同期信号（ＳＳＳ）に関連する符号生成方式を説明する。
【図６】多重ノードシステムの一例を示す。
【図７】基地局が単一アンテナポートを使用する場合、ＣＲＳがＲＢにマッピングされるパターンの一例を示す。
【図８】基地局が２個のアンテナポートを使用する場合、ＣＲＳがＲＢにマッピングされるパターンの一例を示す。
【図９】基地局が４個のアンテナポートを使用する場合、ＣＲＳがＲＢにマッピングされるパターンの一例を示す。
【図１０】ＣＳＩ−ＲＳがマッピングされるＲＢの一例を示す。
【図１１】本明細書の一例による前記ＤＲＳに対して実行されたＵＥ測定の例を示す。
【図１２】ＰＳＳ／ＳＳＳ時分割多重化の一例を示す。
【図１３】ＰＳＳ／ＳＳＳ時分割多重化の他の例を示す。
【図１４】本明細書の一態様によるＤＲＳ−ＰＳＳ及びＤＲＳ−ＳＳＳの候補位置を示す。
【図１５】本明細書によるＣＲＳに基づくＤＲＳ  ＲＳパターンを示す。
【図１６】本明細書により提案された複数の測定ギャップ構成を示す。
【図１７】本明細書で提案される測定ギャップ構成と関連する追加的な実施例を示す。
【図１８】ＤＲＳに対するＵＥ測定と測定ギャップとの関係を示す。
【図１９】ＵＥ１９００及びＢＳまたはセル２０００を含む無線通信システムを簡略に記述するブロック図である。
【発明を実施するための形態】
【００２３】
図１は、本明細書が適用される無線通信システムを示す。前記無線通信システムは、進化したＵＭＴＳ地上無線アクセスネットワーク（Ｅ−ＵＴＲＡＮ）またはロングタームエボリューション（ＬＴＥ）／ＬＴＥ−Ａシステムとも呼ばれる。
【００２４】
前記Ｅ−ＵＴＲＡＮは、端末（ＵＥ）１０に制御プレーン及びユーザプレーンを提供する少なくとも一つの基地局（ＢＳ）２０を含む。前記ＵＥ１０は、固定されてもよいし、移動してもよく、移動局（ＭＳ）、ユーザ端末（ＵＴ）、加入者局（ＳＳ）、移動端末（ＭＴ）、無線機器などのような他の用語でも呼ばれる。前記ＢＳ２０は、一般的に前記ＵＥ１０と通信する固定局であり、進化したノードＢ（ｅＮＢ）、基地局トランシーバーシステム（ＢＴＳ）、アクセスポイント、セル、ノードＢまたはノードなどのような他の用語でも呼ばれる。
【００２５】
無線通信システムに適用される多重接続技術には制限がない。即ち、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ−Ｃａｒｒｉｅｒ  ＦＤＭＡ）、ＯＦＤＭ−ＦＤＭＡ、ＯＦＤＭ−ＴＤＭＡ、ＯＦＤＭ−ＣＤＭＡなどのような多重アクセス方式が利用されることができる。これらの変調方法は、通信システムの多重ユーザから受信された信号を復調して通信システムの容量を増加させる。アップリンク送信及びダウンリンク送信に対して、互いに異なる時間を利用することによって送信が実行されるＴＤＤ（時分割複信）方式及び互いに異なる周波数を利用することによって送信が実行されるＦＤＤ（周波数分割複信）方式が利用されることができる。
【００２６】
前記ＢＳ２０は、Ｘ２インターフェースを介して相互接続される。前記ＢＳ２０は、Ｓ１インターフェースを介してＥＰＣ（ｅｖｏｌｖｅｄ  ｐａｃｋｅｔ  ｃｏｒｅ）と接続され、より詳しくは、Ｓ１−Ｕを介してサービングゲートウェイ（ｓｅｒｖｉｎｇ  ｇａｔｅｗａｙ、Ｓ−ＧＷ）３０と接続される。
【００２７】
前記ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）を含む。前記ＭＭＥは、ＵＥの接続情報やＵＥの能力に対する情報を有しており、このような情報は、ＵＥの移動性管理に主に使われる。前記Ｓ−ＧＷは、Ｅ−ＵＴＲＡＮを終端点として有するゲートウェイである。Ｐ−ＧＷは、ＰＤＮを終端点として有するゲートウェイである。
【００２８】
前記ＵＥと前記ネットワークとの間の無線インターフェースプロトコルの階層は、前記通信システムでよく知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個の層に基づいて第１層（Ｌ１）、第２層（Ｌ２）、及び第３層（Ｌ３）に分類されることができる。このうち、前記第１層に属する物理（ＰＨＹ）層は、物理チャネルを利用することによって情報伝達サービスを提供し、前記ＵＥと前記ネットワークとの間に無線リソースを制御するために前記第３層に属する無線リソース制御（ＲＲＣ）層が提供される。そのために、前記ＲＲＣ層は、前記ＵＥと前記ネットワークとの間にＲＲＣメッセージを交換する。
【００２９】
より詳しくは、ユーザプレーン（Ｕプレーン）及び制御プレーン（Ｃプレーン）に対する無線プロトコルアーキテクチャが説明される。ＰＨＹ層は、上位層に物理チャネルを介して情報伝達サービスを提供する。前記ＰＨＹ層は、トランスポートチャネルを介して前記ＰＨＹ層の上位層である媒体アクセス制御（ＭＡＣ）層に接続される。前記ＭＡＣ層とＰＨＹ層との間で前記トランスポートチャネルを介してデータが伝達される。前記トランスポートチャネルは、無線インターフェースを介してどんな特性のデータがどのように送信されるかによって分類される。例えば、送信機のＰＨＹ層及び受信機のＰＨＹ層のような互いに異なるＰＨＹ層間に、データが前記物理チャネルを介して伝達される。前記物理チャネルは、直交周波数分割多重（ＯＦＤＭ）方式を利用して変調されることができ、無線リソースとして時間及び周波数を活用することができる。
【００３０】
ＭＡＣ層の機能は、論理チャネルとトランスポートチャネルとの間のマッピングと、前記論理チャネルに属するＭＡＣサービスデータユニット（ＳＤＵ）のトランスポートチャネルを介して物理チャネルに提供されるトランスポートブロック上の多重化／逆多重化と、を含む。前記ＭＡＣ層は、論理チャネルを介して無線リンク制御（ＲＬＣ）層にサービスを提供する。
【００３１】
前記ＲＬＣの機能は、ＲＬＣ  ＳＤＵ連結、セグメンテーション、及び再組み立てを含む。無線ベアラ（ＲＢ）により要求される多様なサービス品質（ＱｏＳ）を保証するために、前記ＲＬＣ層は、例えば、透過モード（ＴＭ）、非確認モード（ＵＭ）、及び確認モード（ＡＭ）のような三つの動作モードを提供する。前記ＡＭ  ＲＬＣは、自動繰り返し要求（ＡＲＱ）を利用することによってエラー訂正を提供する。
【００３２】
前記ユーザプレーンでのパケットデータコンバージェンスプロトコル（ＰＤＣＰ）層の機能は、ユーザデータ伝達、ヘッダ圧縮及び暗号化を含む。前記制御プレーンでのＰＤＣＰ層の機能は、制御プレーンデータ伝達及び暗号化／完全性（ｉｎｔｅｇｒｉｔｙ）保護を含む。
【００３３】
無線リソース制御（ＲＲＣ）層は、前記制御プレーン内でのみ定義される。無線ベアラ（ＲＢｓ）の構成、再構成及び解除と関連される前記物理チャネル、前記トランスポートチャネル及び前記論理チャネルを制御するために前記ＲＲＣが提供される。ＲＢは、前記ＵＥと前記ネットワークとの間にデータ伝達のための前記第１層（例えば、前記ＰＨＹ層）及び前記第２層（例えば、前記ＭＡＣ層、前記ＲＬＣ層、及び前記ＰＤＣＰ層）により提供される論理的な経路である。
【００３４】
前記ＲＢの設定は、特定サービスを提供するための無線プロトコル層及びチャネル属性を特定し、各々の詳細パラメータ及び動作を決定するためのプロセスを意味する。前記ＲＢは、シグナリングＲＢ（ＳＲＢ）及びデータＲＢ（ＤＲＢ）のような二つのタイプに分類されることができる。前記ＳＲＢは、前記制御プレーンでＲＲＣメッセージを送信するための経路として使われる。前記ＤＲＢは、前記ユーザプレーンでユーザデータを送信するための経路として使われる。
【００３５】
前記ＵＥのＲＲＣ層と前記ネットワークのＲＲＣ層との間にＲＲＣ接続が設定される場合、前記ＵＥは、ＲＲＣ接続状態（ＲＲＣ接続モードとも呼ばれる）にあり、そうでない場合、前記ＵＥは、ＲＲＣアイドル（ｉｄｌｅ）状態（ＲＲＣアイドルモードとも呼ばれる）にある。
【００３６】
図２は、本明細書の例示的な実施例に係るキャリアアグリゲーション（ＣＡ：ｃａｒｒｉｅｒ  ａｇｇｒｅｇａｔｉｏｎ）に対する例示的な概念を示す。
【００３７】
図２を参照すると、多重ＣＣがアグリゲーションされる（このような例において、３個の搬送波が存在する）３ＧＰＰ  ＬＴＥ−Ａ（ＬＴＥ−Ａｄｖａｎｃｅｄ）システムで考慮される前記ダウンリンク（ＤＬ）／アップリンク（ＵＬ）のサブフレーム構造が示され、ＵＥは、同じ時間に多重ＤＬ  ＣＣからＤＬ信号／データをモニタリングして受信することができる。しかし、セルがＮ個のＤＬ  ＣＣを測定するにもかかわらず、前記ＤＬ信号／データの前記ＵＥのモニタリングは、Ｍ個のＤＬ  ＣＣに限定されるように、前記ネットワークは、Ｍ個のＤＬ  ＣＣを利用してＵＥを構成することができる。付加的に、ＵＥ特定的にまたはセル特定的に、優先順位を利用してＤＬ信号／データを前記ＵＥがモニタリング／受信することから、前記ネットワークは、Ｌ個のＤＬ  ＣＣを主ＤＬ  ＣＣで構成でき、ここで、Ｌ≦Ｍ≦Ｎである。したがって、前記ＵＥは、ＵＥの能力によって一つ以上の搬送波（搬送波１またはその以上の搬送波２．．．Ｎ）をサポートすることができる。
【００３８】
搬送波またはセルが活性化されるかどうかに依存して主コンポーネントキャリア（ＰＣＣ）及び副コンポーネントキャリア（ＳＣＣ）に区分される。ＰＣＣは、常に活性化され、ＳＣＣは、特定条件によって活性化または非活性化される。即ち、Ｐセル（主サービングセル）は、ＵＥがいくつかのサービングセル間に接続（または、ＲＲＣ接続）を初期に設定するリソースである。前記Ｐセルは、複数のセル（ＣＣ）に対するシグナリングのために接続（または、ＲＲＣ接続）として提供され、前記ＵＥと連結する接続情報であるＵＥコンテキストを管理するための特別ＣＣである。また、前記Ｐセル（ＰＣＣ）が前記ＵＥと前記連結を確立してＲＲＣ接続モードにある場合、前記ＰＣＣは、活性化状態で常に存在する。Ｓセル（副サービングセル）は、前記Ｐセル（ＰＣＣ）でない前記ＵＥに割り当てられるリソースである。前記Ｓセルは、前記ＰＣＣに付加して、付加的なリソース割当などのために拡張された搬送波であり、活性化状態及び非活性化状態に分類されることができる。前記Ｓセルは、初期に非活性化状態にある。前記Ｓセルが非活性化される場合、前記Ｓセルは、前記Ｓセル上にサウンディング参照信号（ＳＲＳ）を送信しないこと、前記Ｓセルに対するプレコーディングマトリックス指示子（ＰＭＩ）／ランク指示子（ＲＩ）／プロシージャ処理識別子（ＰＴＩ）を報告しないこと、前記Ｓセル上にＵＬ−ＳＣＨを送信しないこと、前記Ｓセル上に前記ＰＤＣＣＨをモニタリングしないこと、前記Ｓセルのために前記ＰＤＣＣＨをモニタリングしないことを含む。前記ＵＥは、前記Ｓセルを活性化または非活性化する、このようなＴＴＩで活性化／非活性化ＭＡＣ制御要素を受信する。
【００３９】
また、ユーザスループット（ｔｈｒｏｕｇｈｐｕｔ）を向上させるために、ＵＥが一つより多い搬送波グループを有するように構成されることができる場合、一つより多いｅＮＢ／ノードを介して相互ノードリソースアグリゲーションを許容することが考慮される。それは特別に非活性化されることができる各々の搬送波グループ毎に構成化されたＰセルである。即ち、各々の搬送波グループ当たりＰセルは、ＰセルがＵＥに構成されると、常に自分の状態を活性化されるように維持できる。そのような場合で、マスターＰセルであるサービングセルインデックス０を含まないセルグループで、Ｐセルに対応するサービングセルインデックスｉは、活性化／非活性化のために利用されることができない。
【００４０】
より詳しくは、サービングセルインデックス０、１、２が一つの搬送波グループで構成され、サービングセルインデックスが０の場合はＰセルであり、且つサービングセルインデックスが３の場合は第２の搬送波グループのＰセルである場合、サービングセルインデックス３、４、５は、二つの搬送波グループシナリオで他の搬送波グループにより構成されると、１及び２に対応するビットのみが前記第１の搬送波グループセル活性化／非活性化メッセージに対して有効であると仮定され、４及び５に対応するビットは前記第２の搬送波グループセル活性化／非活性化に対して有効であると仮定される。前記第１の搬送波グループ及び前記第２の搬送波グループに対するＰセル間に一部区分のために、前記第２の搬送波グループに対する前記Ｐセルは、以後にはＳ−ＰＣｅｌｌとして表示されることができる。ここで、前記サービングセルのインデックスは、各々のＵＥに対して相対的に決定された論理的なインデックスであり、または特定周波数帯域のセルを指示するための物理インデックスである。前記ＣＡシステムは、セルフ搬送波スケジューリングの非交差（ｃｒｏｓｓ）搬送波スケジューリング、または交差搬送波スケジューリングをサポートする。
【００４１】
図３は、本明細書が適用される無線フレームの構造を示す。
【００４２】
図３を参照すると、無線フレームは、１０個のサブフレームを含み、一つのサブフレームは、二つのスロットを含む。一つのサブフレームの送信に所要される時間は、送信時間インターバル（ＴＴＩ）という。例えば、一つのサブフレームの長さは１ｍｓであり、一つのスロットの長さは０．５ｍｓである。
【００４３】
一つのスロットは、時間領域で複数のＯＦＤＭシンボルを含み、周波数領域で複数のリソースブロック（ＲＢ）を含む。ＯＦＤＭシンボルは、３ＧＰＰ  ＬＴＥシステムでダウンリンクＯＦＤＭＡが使われる一つのシンボル周期を表現するためのものであり、ＳＣ−ＦＤＭＡシンボルまたは多重アクセス方式に依存するシンボル周期ということができる。ＲＢは、リソース割当ユニットであり、一つのスロット内に複数の連続する副搬送波を含む。一つのスロット内に含まれるＯＦＤＭシンボルの個数は、ＣＰ（サイクリックプレフィックス）の構成によって変更することができる。前記ＣＰは、拡張ＣＰ及び正規ＣＰを含む。例えば、正規ＣＰの場合、前記ＯＦＤＭシンボルは７で構成される。前記拡張ＣＰで構成される場合、一つのスロット内に６個のＯＦＤＭシンボルを含む。速いペースのＵＥで移動することのようにチャネル状態が不安定な場合、シンボル間干渉を減少させるために前記拡張ＣＰが構成されることができる。ここで、前記無線フレームの構造は、単に例示に過ぎず、無線フレーム内に含まれるサブフレームの個数、またはサブフレーム内に含まれるスロットの個数、及びスロット内に含まれるＯＦＤＭシンボルの数は、新しい通信システムを適用するために多様な方法に変更されることができる。本明細書は、特定の特徴（ｓｐｅｃｉｆｉｃ  ｆｅａｔｕｒｅ）を変化させることによって、他のシステムの適応に限界がなく、本明細書の実施例は、対応するシステムに変形可能な方式に適用されることができる。
【００４４】
前記ダウンリンクスロットは、前記時間領域内に複数のＯＦＤＭシンボルを含む。例えば、一つのダウンリンクスロットは、７個のＯＦＤＭＡシンボルを含むと図示され、一つのリソースブロック（ＲＢ）は、周波数領域で１２個の副搬送波を含むと図示されているが、これに限定されるものではない。リソースグリッド上の各々の要素は、リソース要素（ＲＥ）という。一つのリソースブロックは、１２×７（または、６個）のＲＥを含む。ダウンリンクスロットに含まれるリソースブロックのＮＤＬの個数は、セルに設定されるダウンリンク送信帯域に依存する。ＬＴＥで考慮される帯域幅は、１．４ＭＨｚ、３ＭＨｚ、５ＭＨｚ、１０ＭＨｚ、１５ＭＨｚ、及び２０ＭＨｚである。前記帯域幅がリソースの数により表現される場合、前記リソースの数は、各々、６、１５、２５、５０、７５、及び１００である。
【００４５】
サブフレーム内で前記第１のスロットのうち、前者の０、１、２または３ＯＦＤＭシンボルは、制御チャネルと調整される制御領域になり、残りのＯＦＤＭシンボルは、物理ダウンリンク共有チャネル（ＰＤＳＣＨ）が割り当てられるデータ領域になる。ダウンリンク制御チャネルの例は、物理制御フォーマット指示子チャネル（ＰＣＦＩＣＨ）、物理ダウンリンク制御チャネル（ＰＤＣＣＨ）、及び物理ハイブリッドＡＲＱ指示子チャネル（ＰＨＩＣＨ）を含む。
【００４６】
前記サブフレームの第１のＯＦＤＭシンボル内で送信される前記ＰＣＦＩＣＨは、前記サブフレーム内で制御チャネルの送信のために使われるＯＦＤＭシンボルの個数（例えば、前記制御領域の大きさ）に対する制御フォーマット指示子（ＣＦＩ）を伝送し、即ち、前記サブフレーム内で制御チャネルの送信のために使われるＯＦＤＭシンボルの個数に対する情報を伝送する。前記ＵＥは、前記ＰＣＦＩＣＨを介して前記ＣＦＩを受信した以後、前記ＰＤＣＣＨをモニタリングする。
【００４７】
前記ＰＨＩＣＨは、アップリンクハイブリッド自動再送要求（ＨＡＲＱ）に応答して、確認（ＡＣＫ）／否確認（ＮＡＣＫ）信号を伝送する。即ち、ＵＥにより送信されたアップリンクデータに対するＡＣＫ／ＮＡＣＫ信号は、ＰＨＩＣＨを介して送信される。
【００４８】
ＰＤＣＣＨ（または、ｅＰＤＣＣＨ）は、ダウンリンク物理チャネルであり、ＰＤＣＣＨは、前記リソース割当に対する情報、ダウンリンク共有チャネル（ＤＬ−ＳＣＨ）の送信フォーマット、アップリンク共有チャネル（ＵＬ−ＳＣＨ）のリソース割当に対する情報、ページングチャネル（ＰＣＨ）に対するページング情報、ＤＬ−ＳＣＨに対するシステム情報、特定ＵＥグループ内にあるＵＥに対する送信電力制御命令のセット、ボイスオーバーインターネットプロトコル（ＶｏＩＰ）及びＰＤＳＣＨ上に送信されるランダムアクセス応答などのような、上位層制御メッセージの前記リソースに対する情報を伝送する。複数のＰＤＣＣＨは、前記制御領域内で送信されることができ、ＵＥは、複数のＰＤＣＣＨをモニタリングすることができる。前記ＰＤＣＣＨは、一つの制御チャネル要素（ＣＣＥ）または一部連続するＣＣＥのアグリゲーションを介して送信される。ＣＣＥは、ＰＤＣＣＨに無線チャネルの状態によってコーディングレートを提供するための論理割当である。前記ＣＣＥは、複数のリソース要素グループ（ＲＥＧ）に対応される。前記ＰＤＣＣＨのフォーマット及び利用可能なＰＤＣＣＨのビット数は、ＣＣＥの数及び前記ＣＣＥにより提供されるコーディングレート間の相関度（ｃｏｒｒｅｌａｔｉｏｎ）によって決定される。
【００４９】
本明細書の前記無線通信システムは、物理ダウンリンク制御チャネル（ＰＤＣＣＨ）検出に対してブラインドデコーディングを利用する。前記ブラインドデコーディングは、ＣＲＣエラー確認を実行することによって、前記ＰＤＣＣＨが自らの固有のチャネルにあるかどうかを決定するために、ＰＤＣＣＨのＣＲＣから所望の識別子がマスク解除（ｄｅ−ｍａｓｋ）される方式である。ｅＮＢは、ＵＥに送信されるダウンリンク制御情報（ＤＣＩ）によってＰＤＣＣＨフォーマットを決定する。その後、前記ｅＮＢは、前記ＤＣＩに巡回冗長検査（ＣＲＣ：ｃｙｃｌｉｃ  ｒｅｄｕｎｄａｎｃｙ  ｃｈｅｃｋ）を付着し、前記ＰＤＣＣＨの利用または所有者によって前記ＣＲＣに（無線ネットワーク臨時識別子（ＲＮＴＩ）という）固有の識別子をマスクする。例えば、前記ＰＤＣＣＨが特定ＵＥのためのものである場合、前記ＵＥの固有な識別子（例えば、セルＲＮＴＩ（Ｃ−ＲＮＴＩ））が前記ＣＲＣにマスクされることができる。その代案としては、前記ＰＤＣＣＨがページングメッセージのためのものである場合、ページング指示識別子（例えば、ページングＲＮＴＩ（例えば、Ｐ−ＲＮＴＩ））が前記ＣＲＣにマスクされることができる。前記ＰＤＣＣＨがシステム情報（より詳しくは、以下で記述されるシステム情報ブロック（ＳＩＢ））のためのものである場合、システム情報識別子及びシステム情報ＲＮＴＩ（例えば、ＳＩ−ＲＮＴＩ）が前記ＣＲＣにマスクされることができる。前記ＵＥのランダムアクセスプリアンブルの送信に対する応答であるランダムアクセス応答を指示するために、ランダムアクセスＲＮＴＩ（例えば、ＲＡ−ＲＮＴＩ）が前記ＣＲＣにマスクされることができる。
【００５０】
したがって、前記ＢＳは、前記ＵＥに送信されるダウンリンク制御情報（ＤＣＩ）によってＰＤＣＣＨフォーマットを決定し、制御情報に巡回冗長検査（ＣＲＣ）を付着する。前記ＤＣＩは、アップリンクまたはダウンリンクのスケジューリング情報を含み、または任意のＵＥグループに対するアップリンク送信（Ｔｘ）電力制御命令を含む。また、前記ＤＣＩは、自分のフォーマットに依存して異なるように使われ、前記ＤＣＩ内で定義される互いに異なるフィールドを有する。
【００５１】
一方、アップリンクサブフレームは、アップリンク制御情報を伝送する物理アップリンク制御チャネル（ＰＵＣＣＨ）が割り当てられる制御領域に分けられる。前記制御情報は、ダウンリンク送信のＡＣＫ／ＮＡＣＫ応答を含む。ユーザデータを伝送する物理アップリンク共有チャネル（ＰＵＳＣＨ）に対するデータ領域は、前記周波数領域に割り当てられる。
【００５２】
以下、本明細書が適用される無線通信システムで利用される同期信号と関連する技術的な特徴が提示される。
【００５３】
図４は、基本ＣＰ及び拡張ＣＰで使われる同期信号の例を示す。
【００５４】
前記同期信号は、その役割または構造によって、主同期信号（Ｐｒｉｍａｒｙ  ＳＳ；ＰＳＳ）及び副同期信号（Ｓｅｃｏｎｄａｒｙ  ＳＳ；ＳＳＳ）に区分されることができる。図４に示すように、基本ＣＰ及び拡張ＣＰが使われる場合、あらかじめ設定されたサブフレームにＰＳＳ／ＳＳＳが含まれる。具体的に、同期信号（ＳＳ）は、ｉｎｔｅｒ−ＲＡＴ  ｍｅａｓｕｒｅｍｅｎｔを容易にするためにＧＳＭフレーム長である４．６ｍｓを考慮してサブフレーム０番とサブフレーム５番の第２のスロットで各々送信され、該当無線フレームに対する境界は、ＳＳＳを介して検出可能である。前記ＰＳＳは、該当スロットの最後のＯＦＤＭシンボルで送信され、前記ＳＳＳは、ＰＳＳ直前のＯＦＤＭシンボルで送信される。前記ＳＳは、３個のＰＳＳと１６８個のＳＳＳの組み合わせを介して全５０４個の物理セル識別子（ｐｈｙｓｉｃａｌ  ｃｅｌｌ  ＩＤ）を送信することができる。また、前記ＳＳ及びＰＢＣＨは、システム帯域幅内の中心６ＲＢ内で送信されて、送信帯域幅に関係なくＵＥが検出または復号できるようにする。
【００５５】
ＰＳＳに関連する詳細な動作は以下のように記述される。
【００５６】
長さ６３のＺＣ（Ｚａｄｏｆｆ−Ｃｈｕ）シーケンスを周波数領域で定義して前記ＰＳＳのシーケンスとして使用する。ＺＣシーケンスは、下記数式１により定義され、ＤＣ副搬送波に該当するシーケンス要素（ｅｌｅｍｅｎｔ）、ｎ＝３１、はパンクチュアリング（ｐｕｎｃｔｕｒｉｎｇ）される。下記数式１において、Ｎｚｃ＝６３である。
【００５７】
【数１】
2017512443.tif 000003
【００５８】
中間部分の６ＲＢ（＝７２副搬送波）のうち、９個の残余副搬送波は、常に０の値で送信し、同期実行のためのフィルタ設計を容易にする。全３個のＰＳＳを定義するために、前記数式１において、ｕ＝２５、２９、及び３４の値が使われる。
【００５９】
このとき、２９と３４は、共役対称（ｃｏｎｊｕｇａｔｅ  ｓｙｍｍｅｔｒｙ）関係を有しており、２個の相関（ｃｏｒｒｅｌａｔｉｏｎ）を同時に実行することができる。ここで、共役対称は、下記数式２の関係（１番目の数式はＮｚｃが偶数である場合、２番目の数式はＮｚｃが奇数である場合）を意味し、この特性を利用してｕ＝２９と３４に対するワンショット相関器（ｏｎｅ−ｓｈｏｔ  ｃｏｒｒｅｌａｔｏｒ）の実現が可能であり、全体的な演算量を約３３．３％減少させることができる。
【００６０】
【数２】
2017512443.tif 000004
【００６１】
ＳＳＳに関連する詳細な動作が以下のように記述される。
【００６２】
図５は、副同期信号（ＳＳＳ）に関連する符号生成方式を説明する。
【００６３】
ＳＳＳのために使われるシーケンスは、長さ３１の二つのｍシーケンスがインターリービングされた接合をして二つのシーケンスを結合して１６８セルグループ識別子（ｃｅｌｌ  ｇｒｏｕｐ  ＩＤ）を送信する。ＳＳＳのシーケンスとしてｍ−シーケンスは、周波数選択的環境で強く、高速アダマール変換（Ｆａｓｔ  Ｈａｄａｍａｒｄ  Ｔｒａｎｓｆｏｒｍ）を利用した高速ｍ−シーケンス変換に演算量を減らすことができる。また、二つの短い符号（ｓｈｏｒｔ  ｃｏｄｅ）でＳＳＳを構成することは、ＵＥの演算量を減らすために提案された。
【００６４】
図５は、論理領域での二つのシーケンスが物理領域でインターリービングされてマッピングされることを示す。ＳＳＳ符号生成のために使われる二つのｍ−シーケンスを各々Ｓ１及びＳ２と定義する時、サブフレーム０のＳＳＳが（Ｓ１、Ｓ２）の組み合わせでセルグループ識別子を送信すると、サブフレーム５のＳＳＳは（Ｓ２、Ｓ１）に交換（ｓｗａｐｐｉｎｇ）して送信することによって、１０ｍｓフレーム境界を区分することができるようになる。このとき、使われるＳＳＳ符号は、ｘ5＋ｘ2＋１の多項式を使用して、互いに異なる循環シフト（ｃｉｒｃｕｌａｒ  ｓｈｉｆｔ）を介して全３１個の符号を生成することができる。
【００６５】
受信性能を向上させるために、ＰＳＳベースの（ＰＳＳ−ｂａｓｅｄ）互いに異なる二つのシーケンスを定義し、ＳＳＳにスクランブリングし、Ｓ１とＳ２に互いに異なるシーケンスでスクランブリングする。その後、Ｓ１ベースの（Ｓ１−ｂａｓｅｄ）スクランブリング符号を定義し、Ｓ２にスクランブリングを実行する。このとき、ＳＳＳの符号は、５ｍｓ単位に交換されるが、ＰＳＳベースのスクランブリング符号は交換されない。ＰＳＳベースのスクランブリング符号は、ｘ5＋ｘ3＋１の多項式から生成されたｍ−シーケンスでＰＳＳインデックスによって６個の循環シフトバージョンに定義し、Ｓ１ベースのスクランブリング符号は、ｘ5＋ｘ4＋ｘ2＋ｘ1＋１の多項式から生成されたｍ−シーケンスでＳ１のインデックスによって８個の循環シフトバージョンに定義する。
【００６６】
以下、多地点協調（ＣｏＭＰ：ｃｏｏｒｄｉｎａｔｅｄ  ｍｕｌｔｉ−ｐｏｉｎｔ）送信方式と関連された、多重ノードシステムの概念が詳細に説明される。
【００６７】
無線通信システムの性能を向上させるために、ユーザ周辺の領域に接続できるノード（ｎｏｄｅ）の密度を高める方向に技術が進化している。より高い密度のノードを有する無線通信システムは、ノード間の協力を介してより高い性能を提供することができる。
【００６８】
図６は、多重ノードシステムの一例を示す。
【００６９】
図６を参照すると、多重ノードシステム２０は、一つの基地局２１と複数のノード２５−１、２５−２、２５−３、２５−４、２５−５で構成されることができる。複数のノード２５−１、２５−２、２５−３、２５−４、２５−５は、一つの基地局２１により管理されることができる。即ち、複数のノード２５−１、２５−２、２５−３、２５−４、２５−５は、一つのセルの一部のように動作する。このとき、各ノード２５−１、２５−２、２５−３、２５−４、２５−５は、別途のノードＩＤ（ｉｄｅｎｔｉｆｉｅｒ）の割当を受けることができ、または別途のノードＩＤなしにセル内の一部アンテナグループのように動作できる。このような場合、図６の多重ノードシステム２０は、一つのセルを形成する分散多重ノードシステム（ＤＭＮＳ；ｄｉｓｔｒｉｂｕｔｅｄ  ｍｕｌｔｉ  ｎｏｄｅ  ｓｙｓｔｅｍ）と見なされる。
【００７０】
その代案として、前記複数のノード２５−１、２５−２、２５−３、２５−４、２５−５は、個別的なセルＩＤを有し、ＵＥのスケジューリング及びハンドオーバ（ＨＯ；ｈａｎｄｏｖｅｒ）を実行することができる。このような場合、図６の多重ノードシステム２０は、多重セルシステムと見なされる。基地局２１は、マクロセル（ｍａｃｒｏ  ｃｅｌｌ）であり、各ノードは、マクロセルのセルカバレッジ（ｃｅｌｌ  ｃｏｖｅｒａｇｅ）より小さいセルカバレッジを有するフェムトセル（ｆｅｍｔｏ  ｃｅｌｌ）またはピコセル（ｐｉｃｏ  ｃｅｌｌ）である。このように、複数のセルがカバレッジによってオーバーレイ（ｏｖｅｒｌａｙ）されて構成される場合、複数階層ネットワーク（ｍｕｌｔｉ−ｔｉｅｒ  ｎｅｔｗｏｒｋ）という。
【００７１】
図６において、各ノード２５−１、２５−２、２５−３、２５−４、２５−５は、基地局、Ｎｏｄｅ−Ｂ、ｅＮｏｄｅ−Ｂ、ピコセルｅＮＢ（ＰｅＮＢ）、ホームｅＮＢ（ＨｅＮＢ）、無線遠隔装備（ＲＲＨ；ｒａｄｉｏ  ｒｅｍｏｔｅ  ｈｅａｄ）、中継局（ＲＳ；ｒｅｌａｙ  ｓｔａｔｉｏｎまたはｒｅｐｅａｔｅｒ）、分散アンテナ（ｄｉｓｔｒｉｂｕｔｅｄ  ａｎｔｅｎｎａ）のうちいずれか一つになることができる。一つのノードには少なくとも一つのアンテナが設置されることができる。また、ノードは、ポイント（ｐｏｉｎｔ）とも呼ばれる。以下の明細書で、ノードは、ＤＭＮＳから一定間隔以上に離れたアンテナグループを意味する。即ち、以下の明細書で、各ノードは、物理的にＲＲＨを意味すると仮定する。しかし、本発明は、これに制限されるものではなく、ノードは、物理的間隔に関係なく任意のアンテナグループと定義されることができる。例えば、複数の交差偏波アンテナ（ｃｒｏｓｓ  ｐｏｌａｒｉｚｅｄ  ａｎｔｅｎｎａ）で構成された基地局を水平偏波アンテナ（ｈｏｒｉｚｏｎｔａｌ  ｐｏｌａｒｉｚｅｄ  ａｎｔｅｎｎａ）で構成されたノードと、垂直偏波アンテナ（ｖｅｒｔｉｃａｌ  ｐｏｌａｒｉｚｅｄ  ａｎｔｅｎｎａ）で構成されたノードと、からなると判断して本発明を適用することができる。また、本発明は、各ノードがマクロセルに比べてセルカバレッジが小さいピコセルまたはフェムトセルである場合、即ち、多重セルシステムでも適用されることができる。以下の説明で、アンテナは、物理アンテナだけでなく、アンテナポート、仮想（ｖｉｒｔｕａｌ）アンテナ、アンテナグループなどに代替されることができる。
【００７２】
ＣｏＭＰ（ｃｏｏｒｄｉｎａｔｅｄ  ｍｕｌｔｉ−ｐｏｉｎｔ）送信は、ノード間協力通信方法を意味する。多重セル多重分散ノードシステムにおいて、ＣｏＭＰ送信を適用してセル間干渉（ｉｎｔｅｒ−ｃｅｌｌ  ｉｎｔｅｒｆｅｒｅｎｃｅ）を減らすことができ、単一セル多重分散ノードシステムにおいて、ＣｏＭＰ送信を適用してセル内の多重ノード間干渉（Ｉｎｔｒａ−ｃｅｌｌ  ｉｎｔｅｒ−ｐｏｉｎｔ  ｉｎｔｅｒｆｅｒｅｎｃｅ）を減らすことができる。ＵＥは、ＣｏＭＰ送信を実行することで複数のノードから共通にデータを受信することができる。また、各ノードは、システム性能の向上のために、同じ無線周波数リソースを利用して一つ以上のＵＥを同時にサポートすることができる。また、基地局は、前記基地局と前記ＵＥとの間のチャネル状態情報に基づいて空間分割多重接続（ＳＤＭＡ；ｓｐａｃｅ  ｄｉｖｉｓｉｏｎ  ｍｕｌｔｉｐｌｅ  ａｃｃｅｓｓ）方式を実行することもできる。
【００７３】
ＣｏＭＰ送信の主要目的は、セル境界またはノード境界に位置したＵＥの通信性能改善である。３ＧＰＰ  ＬＴＥにおいて、ＣｏＭＰ送信方式は、二つの方式に区分されることができる。
【００７４】
１）結合プロセッシング（ＪＰ；ｊｏｉｎｔ  ｐｒｏｃｅｓｓｉｎｇ）方式：ＵＥに対するデータを一つ以上のノードが共有して送信する方法である。ＪＰ方式は、結合送信（ＪＴ；ｊｏｉｎｔ  ｔｒａｎｓｍｉｓｓｉｏｎ）方式と動的ポイント選択（ＤＰＳ；ｄｙｎａｍｉｃ  ｐｏｉｎｔ  ｓｅｌｅｃｔｉｏｎ）方式とを含む。ＪＴ方式は、複数のノードが時間−周波数リソースで一つのＵＥまたは複数のＵＥに同時にデータを送信する方式である。データを送信する複数のノードは、ＣｏＭＰ送信を実行することができるグループの全部または一部である。データは、コヒーレント（ｃｏｈｅｒｅｎｔ）にまたはノンコヒーレント（ｎｏｎ−ｃｏｈｅｒｅｎｔ）に送信されることができる。それによって、受信された信号の品質及び／またはデータ処理率（ｔｈｒｏｕｇｈｐｕｔ）が向上されることができる。ＤＰＳ方式は、ＣｏＭＰ送信を実行することができるグループ内の一つのノードが時間−周波数リソースでデータを送信する方式である。データは、複数のノードで同時に送信可能であるが、その中から選択された一つのノードがデータを送信する方式である。データを送信するノードまたは送信しない（ｍｕｔｉｎｇ）ノードは、サブフレーム単位に変更されることができる。また、サブフレーム内で使われるＲＢ対（ｐａｉｒ）も変更されることができる。前記ＤＰＳ方式は、動的セル選択（ＤＣＳ；ｄｙｎａｍｉｃ  ｃｅｌｌ  ｓｅｌｅｃｔｉｏｎ）方式を含むことができる。
【００７５】
２）協力スケジューリング（ＣＳ；ｃｏｏｒｄｉｎａｔｅｄ  ｓｃｈｅｄｕｌｉｎｇ）／協力ビーム形成（ｃｏｏｒｄｉｎａｔｅｄ  ｂｅａｍｆｏｒｍｉｎｇ）方式：制限されたバックホール容量（ｂａｃｋｈａｕｌ  ｃａｐａｃｉｔｙ）などの問題で一つのサービングノードのみがデータを送信することができ、残りのノードは、スケジューリングを介してまたは送信ビームの干渉を減らすことによってサービングノードに協力する方式である。ＣＳ／ＣＢ方式は、半静的ポイント選択（ＳＳＰＳ；ｓｅｍｉ−ｓｔａｔｉｃ  ｐｏｉｎｔ  ｓｅｌｅｃｔｉｏｎ）方式を含む。ＳＳＰＳ方式は、特定時間に一つのノードから特定ＵＥにデータを送信する方式である。データを送信するノードは、半静的な方式に変更されることができる。
【００７６】
以下、準コロケーション（ＱＣＬ：ｑｕａｓｉ  ｃｏ−ｌｏｃａｔｉｏｎ）の概念が記述される。
【００７７】
一つのＵＥが複数の送信地点からダウンリンクチャネルを受信するＣｏＭＰ状況で、前記ＵＥは、特定時間リソース及び／または特定周波数リソースを介して特定時間地点から特定進化した（ｅｖｏｌｖｅｄ）ＰＤＣＣＨ（ＥＰＤＣＣＨ）または前記ＥＰＤＣＣＨによりスケジューリングされるＰＤＳＣＨを受信することができ、または他の時間リソース及び／または時間周波数リソースを介して他の送信地点からＥＰＤＣＣＨまたは前記ＥＰＤＣＣＨによりスケジューリングされるＰＤＳＣＨを受信することができる。このとき、前記ＵＥが前記チャネルが送信される送信地点から決定できる場合、前記送信地点から観測されるいくつかの属性、例えば、ドップラー拡散（ｓｐｒｅａｄ）、ドップラーシフト（ｓｈｉｆｔ）、平均遅延、遅延拡散または平均利得のような大規模特性（ｌａｒｇｅ  ｓｃａｌｅ  ｐｒｏｐｅｒｔｉｅｓ）を利用してチャネル受信特性が向上されることができる。
【００７８】
前記ｅＮＢは、特定ＥＰＤＣＣＨまたは前記特定ＥＰＤＣＣＨによりスケジューリングされるＰＤＳＣＨが送信される前記送信地点をシグナリングすることができる。例えば、前記ｅＮＢは、特定送信地点により一貫して（ｃｏｎｓｉｓｔｅｎｔｌｙ）送信されるＣＲＳまたはＣＳＩ−ＲＳのような特定参照信号を利用することで、特定ＥＰＤＣＣＨまたは前記特定ＥＰＤＣＣＨによりスケジューリングされるＰＤＳＣＨが準コロケーション（ＱＣＬ）ということを前記ＵＥに通知できる。ここで、ＱＣＬは、長期的には（ｉｎ  ｔｈｅ  ｌｏｎｇ  ｔｅｒｍ）前記チャネルが前記特定参照信号のような同じチャネル属性を有することができるということを意味する。ＱＣＬに対する情報が提供されない場合、全てのチャネルは、サービングセルから送信され、前記サービングセルのＣＲＳを有するＱＣＬということを前記ＵＥは仮定することができる。
【００７９】
したがって、特定ＥＰＤＣＣＨまたは前記特定ＥＰＤＣＣＨによりスケジューリングされるＰＤＳＣＨのリソースマッピング及びＰＣＦＩＣＨ、ＰＨＩＣＨ及びＰＤＣＣＨのような他の制御チャネルの送信は、前記チャネルがどんなＲＳを有するＱＣＬかによって選択的に適用可能である。
【００８０】
以下、参照信号（ＲＳｓ）と関連して詳細な特徴が記述される。
【００８１】
一般的に、参照信号（ｒｅｆｅｒｅｎｃｅ  ｓｉｇｎａｌ）は、シーケンスで送信される。参照信号シーケンスは、特別な制限無しで任意のシーケンスが使われることができる。参照信号シーケンスは、ＰＳＫ（ｐｈａｓｅ  ｓｈｉｆｔ  ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（ｂｉｎａｒｙ  ｐｈａｓｅ  ｓｈｉｆｔ  ｋｅｙｉｎｇ）、ＱＰＳＫ（ｑｕａｄｒａｔｕｒｅ  ｐｈａｓｅ  ｓｈｉｆｔ  ｋｅｙｉｎｇ）などがある。その代案としては、参照信号シーケンスは、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。追加的に、参照信号シーケンスは、循環シフトシーケンス（ｃｙｃｌｉｃａｌｌｙ  ｓｈｉｆｔｅｄ  ｓｅｑｕｅｎｃｅ）を利用することができる。
【００８２】
ダウンリンク参照信号は、セル特定参照信号（ＣＲＳ；ｃｅｌｌ−ｓｐｅｃｉｆｉｃ  ＲＳ）、ＭＢＳＦＮ（ｍｕｌｔｉｍｅｄｉａ  ｂｒｏａｄｃａｓｔ  ａｎｄ  ｍｕｌｔｉｃａｓｔ  ｓｉｎｇｌｅ  ｆｒｅｑｕｅｎｃｙ  ｎｅｔｗｏｒｋ）参照信号、ＵＥ特定参照信号（ＵＥ−ｓｐｅｃｉｆｉｃ  ＲＳ）、ポジショニング参照信号（ＰＲＳ；ｐｏｓｉｔｉｏｎｉｎｇ  ＲＳ）及びチャネル状態情報（ＣＳＩ；ｃｈａｎｎｅｌ  ｓｔａｔｅ  ｉｎｆｏｒｍａｔｉｏｎ）参照信号（ＣＳＩ  ＲＳ）に区分されることができる。前記ＣＲＳは、セル内の全てのＵＥに送信される参照信号であって、前記ＣＲＳは、ＣＱＩ（ｃｈａｎｎｅｌ  ｑｕａｌｉｔｙ  ｉｎｄｉｃａｔｏｒ）フィードバックに対するチャネル測定とＰＤＳＣＨに対するチャネル推定に使われることができる。前記ＭＢＳＦＮ参照信号は、ＭＢＳＦＮ送信のために割り当てられたサブフレームで送信されることができる。前記ＵＥ特定参照信号は、セル内の特定ＵＥまたは特定ＵＥグループが受信する参照信号であって、復調参照信号（ＤＭＲＳ；ｄｅｍｏｄｕｌａｔｉｏｎ  ＲＳ）とも呼ばれる。前記ＤＭＲＳは、特定ＵＥまたは特定ＵＥグループのデータ復調に主に使われる。前記ＰＲＳは、ＵＥの位置推定に使われることができる。ＣＳＩ  ＲＳは、ＬＴＥ−Ａ  ＵＥのＰＤＳＣＨに対するチャネル推定に使われる。前記ＣＳＩ  ＲＳは、周波数領域または時間領域で比較的離散的に（ｓｐａｒｓｅ）配置され、一般サブフレームまたはＭＢＳＦＮサブフレームのデータ領域ではパンクチュアリング（ｐｕｎｃｔｕｒｅｄ）されることができる。ＣＳＩの推定を介して、必要な場合、ＣＱＩ、ＰＭＩ及びＲＩなどが前記ＵＥから報告されることができる。
【００８３】
ＣＲＳは、ＰＤＳＣＨ送信をサポートするセル内の全てのダウンリンクサブフレームで送信される。ＣＲＳは、アンテナポート０乃至３上に送信されることができ、ＣＲＳは、Δｆ＝１５ｋＨｚに対してのみ定義されることができる。前記ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の６．１０．１節を参照することができる。
【００８４】
図７は、基地局が単一アンテナポートを使用する場合、ＣＲＳがＲＢにマッピングされるパターンの一例を示す。図８は、基地局が２個のアンテナポートを使用する場合、ＣＲＳがＲＢにマッピングされるパターンの一例を示す。図９は、基地局が４個のアンテナポートを使用する場合、ＣＲＳがＲＢにマッピングされるパターンの一例を示す。上記ＣＲＳパターンは、ＬＴＥ−Ａの特徴をサポートするために使われることもできる。例えば、多地点協調（ＣｏＭＰ；ｃｏｏｒｄｉｎａｔｅｄ  ｍｕｌｔｉ−ｐｏｉｎｔ）送受信方式または空間多重化（ｓｐａｔｉａｌ  ｍｕｌｔｉｐｌｅｘｉｎｇ）などの特徴をサポートするために使われることができる。また、ＣＲＳは、チャネル品質測定、ＣＰ検出、時間／周波数同期化などの用途で使われることができる。
【００８５】
図７乃至図９を参照すると、基地局が複数のアンテナポートを使用する多重アンテナ送信の場合、アンテナポート毎に一つのリソースグリッド（ｇｒｉｄ）がある。‘Ｒ０’は第１のアンテナポートに対する参照信号を示し、‘Ｒ１’は第２のアンテナポートに対する参照信号を示し、‘Ｒ２’は第３のアンテナポートに対する参照信号を示し、‘Ｒ３’は第４のアンテナポートに対する参照信号を示す。Ｒ０乃至Ｒ３のサブフレーム内の位置は、互いに重複しない。ｌは、スロット内のＯＦＤＭシンボルの位置であって、正規ＣＰでｌは、０〜６の値を有する。一つのＯＦＤＭシンボルで各アンテナポートに対する参照信号は、６副搬送波間隔に位置する。サブフレーム内のＲ０の数とＲ１の数は同じであり、Ｒ２の数とＲ３の数は同じである。サブフレーム内のＲ２、Ｒ３の数は、Ｒ０、Ｒ１の数より少ない。一アンテナポートの参照信号に使われたリソース要素は、他のアンテナの参照信号に使われない。これはアンテナポート間干渉を生成することを回避するためである。
【００８６】
前記ＣＲＳは、ストリームの個数に関係無しで常にアンテナポートの個数ほど送信される。前記ＣＲＳは、各々のアンテナポートに対して別個の参照信号を有する。前記ＣＲＳのサブフレーム内の周波数領域の位置及び時間領域の位置は、ＵＥに関係無しで決められる。前記ＣＲＳにかけられる前記ＣＲＳシーケンスもＵＥに関係無しで生成される。したがって、セル内の全てのＵＥは、ＣＲＳを受信することができる。ただし、前記ＣＲＳのサブフレーム内の位置及び前記ＣＲＳシーケンスは、セルＩＤによって決められる。前記ＣＲＳのサブフレーム内の時間領域内の位置は、アンテナポートの番号、リソースブロック内のＯＦＤＭシンボルの個数によって決められる。前記ＣＲＳのサブフレーム内の周波数領域の位置は、アンテナの番号、セルＩＤ、ＯＦＤＭシンボルインデックス（ｌ）、無線フレーム内のスロット番号などによって決められる。
【００８７】
２次元（ｔｗｏ−ｄｉｍｅｎｓｉｏｎ）のＣＲＳシーケンスは、２次元直交シーケンス（ｏｒｔｈｏｇｏｎａｌ  ｓｅｑｕｅｎｃｅ）と２次元疑似乱数シーケンス（ｐｓｅｕｄｏ−ｒａｎｄｏｍ  ｓｅｑｕｅｎｃｅ）のシンボルとの間の積により生成されることができる。３個の互いに異なる２次元直交シーケンスと１７０個の互いに異なる２次元疑似乱数シーケンスが存在できる。各セルＩＤは、一つの直交シーケンスと一つの疑似乱数シーケンスの唯一の組み合わせに対応される。また、周波数ホッピング（ｆｒｅｑｕｅｎｃｙ  ｈｏｐｐｉｎｇ）がＣＲＳに適用されることができる。周波数ホッピングパターンは、一つの無線フレーム（１０ｍｓ）を周期にすることができ、各周波数ホッピングパターンは、一つのセルＩＤグループに対応される。
【００８８】
ＣＳＩ  ＲＳは、１個、２個、４個または８個のアンテナポートを介して送信される。この時に使われるアンテナポートは、各々、ｐ＝１５、ｐ＝１５、１６、ｐ＝１５、．．．、１８及びｐ＝１５、．．．、２２である。前記ＣＳＩ  ＲＳは、Δｆ＝１５ｋＨｚに対してのみ定義されることができる。前記ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の６．１０．５節を参照することができる。
【００８９】
ＣＳＩ  ＲＳシーケンスは、セルＩＤに基づくシード（ｓｅｅｄ）から生成される疑似乱数（ｒａｎｄｏｍ）シーケンスに基づいている。ＣＳＩ  ＲＳの送信において、異種ネットワーク（ＨｅｔＮｅｔ；ｈｅｔｅｒｏｇｅｎｅｏｕｓ  ｎｅｔｗｏｒｋ）環境を含んでマルチセル環境でセル間干渉（ＩＣＩ；ｉｎｔｅｒ−ｃｅｌｌ  ｉｎｔｅｒｆｅｒｅｎｃｅ）を減らすために、最大３２個の互いに異なる構成（ｃｏｎｆｉｇｕｒａｔｉｏｎ）が提案されることができる。前記ＣＳＩ  ＲＳ構成は、セル内のアンテナポートの個数及びＣＰによって互いに異なり、隣接したセルは、最大限異なる構成を有することができる。また、ＣＳＩ  ＲＳ構成は、フレーム構造によってＦＤＤフレームとＴＤＤフレームの両方に適用する場合とＴＤＤフレームにのみ適用する場合とに分けられる。一つのセルで複数のＣＳＩ  ＲＳ構成が使われることができる。非ゼロ電力（ｎｏｎ−ｚｅｒｏ  ｐｏｗｅｒ）ＣＳＩ  ＲＳを仮定するＵＥに対して０個または１個のＣＳＩ  ＲＳ構成が使われ、ゼロ電力（ｚｅｒｏ  ｐｏｗｅｒ）ＣＳＩ  ＲＳを仮定するＵＥに対して０個または複数個のＣＳＩ  ＲＳ構成が使われることができる。
【００９０】
前記ＣＳＩ  ＲＳ構成は、無線リソース制御（ＲＲＣ：Ｒａｄｉｏ  Ｒｅｓｏｕｒｃｅ  Ｃｏｎｔｒｏｌ）シグナリングのような、上位層により指示されることができる。より詳しくは、前記上位層を介して送信されるＣＳＩ−ＲＳ−Ｃｏｎｆｉｇ情報要素（ＩＥ）が前記ＣＳＩ  ＲＳ構成を指示することができる。
【００９１】
前記上位層シグナリングは、前記ＣＳＩ  ＲＳが送信され、前記ＣＳＩ  ＲＳサブフレーム構成によって決定されることができるサブフレームの周期及びオフセットを追加的に定義することができる。
【００９２】
図１０は、ＣＳＩ−ＲＳがマッピングされるＲＢの一例を示す。より詳しくは、図１０は、正規ＣＰ構造でＣＳＩ  ＲＳ構成インデックスが０の時、ＣＳＩ  ＲＳのために使われるリソース要素を示す。Ｒｐは、アンテナポートｐ上のＣＳＩ  ＲＳ送信に使われるリソース要素を示す。図１０を参照すると、アンテナポート１５及び１６に対するＣＳＩ  ＲＳは、第１のスロットの６番目及び７番目のＯＦＤＭシンボル（ＯＦＤＭシンボルインデックス５、６）の３番目の副搬送波（副搬送波インデックス２）に該当するリソース要素を介して送信される。アンテナポート１７及び１８に対するＣＳＩ  ＲＳは、第１のスロットの６番目及び７番目のＯＦＤＭシンボル（ＯＦＤＭシンボルインデックス５、６）の９番目の副搬送波（副搬送波インデックス８）に該当するリソース要素を介して送信される。アンテナポート１９及び２０に対するＣＳＩ  ＲＳは、アンテナポート１５及び１６に対するＣＳＩ  ＲＳが送信される同じリソース要素を介して送信され、アンテナポート２１及び２２に対するＣＳＩ  ＲＳは、アンテナポート１７及び１８に対するＣＳＩ  ＲＳが送信される同じリソース要素を介して送信される。
【００９３】
以下、前記前述された小型セルと関連された、ディスカバリ参照信号（ＤＲＳ：ｄｉｓｃｏｖｅｒｙ  ｒｅｆｅｒｅｎｃｅ  ｓｉｇｎａｌ）と関連する詳細な特徴が導入される。即ち、本明細書の以下の部分は、ＤＲＳと関連する多様な特徴を提案し、これはディスカバリ信号または改良されたディスカバリ信号とも呼ばれる。例えば、本明細書は、ＤＲＳとして使われることができる候補と関連する詳細な実施例を提案する。また、本明細書は、測定ギャップと前記ＤＲＳとの間の調整（ａｌｉｇｎｍｅｎｔ）に対する実施例、前記ＤＲＳの測定タイミングと関連する構成に対する実施例、多数のセル間の非調整に対する実施例、前記ＤＲＳ動作のコンテキスト（ｃｏｎｔｅｘｔ）で時分割複信（ＴＤＤ：Ｔｉｍｅ  Ｄｉｖｉｓｉｏｎ  Ｄｕｐｌｅｘ）構成を動的に変更させる、改良された干渉緩和及びトラフィック適応（ｅＩＭＴＡ：ｅｎｈａｎｃｅｄ  Ｉｎｔｅｒｆｅｒｅｎｃｅ  Ｍｉｔｉｇａｔｉｏｎ＆Ｔｒａｆｆｉｃ  Ａｄａｐｔａｔｉｏｎ）に対する実施例を提案する。
【００９４】
ここで、前記ＤＲＳの複数の所望の特徴（または、相互交換的に“改良されたディスカバリ信号”）及び前記ＤＲＳに対する複数の特徴が詳細に提案される。
【００９５】
密集された小型セルシナリオで、ＵＥは、オーバーレイされた（ｏｖｅｒｌａｉｄ）マクロと接続され、小型セルは、データオフローディング（ｄａｔａ  ｏｆｆｌｏａｄｉｎｇ）に対して使われることができる。このような場合、ＵＥが通信範囲内に多くのセルをディスカバリし、その後、前記オーバーレイされたマクロ階層が他の情報だけでなく、“ローディング”情報を考慮して最適のセルを選択する。即ち、データオフローディングのための最適のセルは、ＲＳＲＰ／ＲＳＲＱに基づく最適のセルでない。低いローディングまたは多くのユーザを有するセルが全体セル管理観点で好ましい。したがって、既存メカニズムより多くのセルを検出することを可能にする改良された手順が考慮されることができる。
【００９６】
前記ＤＲＳの好ましい特性に対して、次が含まれることができる：
【００９７】
＊レガシＰＳＳ／ＳＳＳ／ＣＲＳベースのセル検出より多いセルを検出して、
【００９８】
＊サブフレームのような短い時間内にセルを検出して、
【００９９】
＊サブフレームのような短い時間内に測定を実行して、そして、
【０１００】
＊短い時間スケールオン／オフ動作のために必要な測定をサポートする。
【０１０１】
また、改良されたディスカバリアルゴリズムのために考慮されることができる候補は、次を含むことができる：
【０１０２】
＊ＰＳＳ／（ＳＳＳ）＋ＣＲＳ、
【０１０３】
＊ＰＳＳ／（ＳＳＳ）＋ＣＳＩ−ＲＳ、
【０１０４】
＊ＰＳＳ／（ＳＳＳ）＋ＰＲＳ、
【０１０５】
＊ＰＳＳ＋ＳＳＳ＋ＣＲＳ＋（ＣＳＩ−ＲＳ）、
【０１０６】
＊（１）−（３）の一つ以上の選択の組み合わせ、及び、
【０１０７】
＊ＰＳＳ＋ＳＳＳ＋ＣＲＳ＋（ＣＳＩ−ＲＳ）：このような場合、ＵＥは、スクランブリングＩＤ、ＣＳＩ−ＲＳのためのリソース構成などのようなＣＳＩ−ＲＳ構成で構成される場合にのみＣＳＩ−ＲＳが存在すると仮定することができる。即ち、ＣＳＩ−ＲＳに関連するネットワーク補助が構成され、またはＣＳＩ−ＲＳリソースの存在で明白に構成される場合にのみ、ＵＥは送信地点（ＴＰ：ｔｒａｎｓｍｉｓｓｉｏｎ  ｐｏｉｎｔ）識別を実行することができる。
【０１０８】
たとえ、前記ＤＲＳに対する候補が特定実施例に限定されないとしても、前記ＤＲＳは、ＰＳＳ、ＳＳＳ、及びＣＲＳを含むことが好ましい。また、前記ＤＲＳは、前記ＣＳＩ−ＲＳ構成（例えば、前記ＣＳＩ−ＲＳの区間（ｉｎｔｅｒｖａｌ）、オフセット）に依存してＣＳＩ−ＲＳをさらに含むことができる。
【０１０９】
粗い（ｃｏａｒｓｅ）時間／周波数トラッキング、測定及び準コロケーション（Ｑｕａｓｉ  Ｃｏ−Ｌｏｃａｔｉｏｎ）のために（必要な場合）参照信号（即ち、ＤＲＳ）が使われなければならないと予想される。一部目的を考慮して、ディスカバリ信号の設計が次の要求事項を満たさなければならない：
【０１１０】
（１）ディスカバリ信号は、（＋−２．５ｍｓのような）非常に高い初期タイミング誤差を仮定して粗い時間同期化をサポートしなければならない。
【０１１１】
（２）ディスカバリ信号は、（２０ＫＨｚのような）非常に高い初期周波数誤差を仮定して粗い周波数同期化をサポートしなければならない。
【０１１２】
（３）参照信号は、少なくとも３個のセル（または、送信地点）の検出可能性をサポートしなければならない。そして、
【０１１３】
（４）参照信号は、満たす測定正確度をサポートしなければならない。
【０１１４】
目録（１）及び／または（２）をサポートするために、ＰＳＳ及び／またはＳＳＳが送信されることができると仮定されることができる。
【０１１５】
ディスカバリ信号を設計する観点で、以下の質問に回答されなければならない：
【０１１６】
（１）同じ周波数で、改良された参照信号を送信するセルと改良された参照信号を送信しないセルは、共存できるか否か。
【０１１７】
（２）セルが改良されたディスカバリ信号を送信する場合、セルは、オン状態だけでなく、オフ状態でディスカバリ信号を送信するか。
【０１１８】
（３）ＵＥ測定報告観点で、利用可能な場合、ＵＥは、レガシ及び改良されたディスカバリ信号に基づいて測定報告を報告するか、またはただ一つのみを報告するか？ＵＥがただ一つを報告する場合、一つの報告を選択する基準（ｃｒｉｔｅｒｉａ）は何か？
【０１１９】
（４）ＤＲＸモードでも改良されたディスカバリ信号に基づいてＵＥが測定を実行することができるかどうか？（Ａ）これがサポートされる場合、ＵＥは、ＤＲＳ送信タイミング／構成に後続して前記測定を実行するために（ＯｎＤｕｒａｔｉｏｎでない）ＤＲＸサイクルでもウェイクアップしていなければならない。例えば、ＤＲＳが毎１６０ｍｓｅｃで送信される場合、ＵＥは、前記測定を実行するために毎１６０ｍｓｅｃ毎にウェイクアップしていなければならない。
【０１２０】
（５）互いに異なるセルからのディスカバリ信号間に多重化がどのように実行されるべきか？ＴＤＭまたはＦＤＭまたはＣＤＭを介して？
【０１２１】
（６）ディスカバリ信号が送信されるサブフレームでの任意の有効（ａｃｔｉｖｅ）データ送信？有効データ送信がない場合、ＲＳＳＩを測定する方法？
【０１２２】
（７）５０４からセルＩＤの個数を増加させる必要性があるか？
【０１２３】
（８）効率的なＵＥ性能のためにディスカバリ信号を共に送信するセル間にＳＦＮが調整されない場合は、どうなるか？
【０１２４】
（９）効率的なＵＥ性能のためにディスカバリ信号を共に送信するセル間にＣＰ長さが調整されない場合は、どうなるか？
【０１２５】
（１０）ＭＢＳＦＮ  ＳＦでディスカバリ信号がスケジューリングされた場合は、どうなるか？
【０１２６】
（１１）ディスカバリ信号送信周期及びリソース構成は、構成が可能でなければならないか？そして、
【０１２７】
（１２）ＴＤＤでディスカバリ信号を送信する方法。
【０１２８】
可能な構成に対して、改良されたディスカバリ信号（即ち、前記ＤＲＳ）の周期は、次の制約で構成されることができる：
【０１２９】
（１）測定ギャップ周期の倍数：例えば、４０ｍｓｅｃ、８０ｍｓｅｃ、または１６０ｍｓｅｃまたは３２０ｍｓｅｃ（新しい測定ギャップ周期が構成される場合、このような新しい周期の倍数も考慮されることができる）。
【０１３０】
（２）ＤＲＸサイクルと調整：１０、２０、３２、４０、６４、８０、１２８、１６０、２５６、３２０、５１２、６４０、１０２４、１２８０、２０４８、２５６０（ＵＥがサービングセルに対してレガシ信号を利用して測定する場合、このような制約は除去されることができる）。そして、
【０１３１】
（３）ＰＳＳ／ＳＳＳが参照信号で送信される場合、改良されたディスカバリ信号のために送信されるＰＳＳ／ＳＳＳがオン状態で送信されるＰＳＳ／ＳＳＳにより代替されることができるように、ディスカバリ信号の周期は、５ｍｓｅｃの倍数になることができる。ディスカバリ信号がオン状態で送信されない場合、このような制約は除去されることができる。または、レガシＵＥに対する影響を回避するために、ＰＳＳ／ＳＳＳがオン状態の間に送信されることができ、それに対し、追加的なＰＳＳ／ＳＳＳがディスカバリ信号送信のためにも送信されることができるように、ＰＳＳ／ＳＳＳに調整されない互いに異なる周期も考慮されることができる。オン状態で送信されるＰＳＳ／ＳＳＳと別々にＤＲＳ−ＰＳＳ及びＤＲＳ−ＳＳＳが追加的に送信される場合、ＤＲＳ−ＰＳＳ／ＤＲＳ−ＳＳＳ間のセルＩＤは、ＰＳＳ／ＳＳＳと互いに異なる。また、ＤＲＳ−ＰＳＳ／ＤＲＳ−ＳＳＳとＰＳＳ／ＳＳＳとの間のＱＣＬ関係が仮定されない。このような場合、ＱＣＬ関係ＤＲＳ−ＣＳＩ−ＲＳ（または、ＤＲＳ−ＣＲＳ）及びＰＳＳ／ＳＳＳ及び／またはＣＲＳが構成されることができ、ここで、ＤＲＳ−ＣＳＩ−ＲＳがＰＳＳ／ＳＳＳ及び／またはＣＲＳデコーディング／トラッキングのために使われることができる。このような場合、ＤＲＳ−ＣＳＩ−ＲＳ及びＰＳＳ／ＳＳＳ及び／またはＣＲＳのために使われるセルＩＤは、同じであると仮定されることができる。ＤＲＳ−ＰＳＳ／ＤＲＳ−ＳＳＳのために使われるセルＩＤがＰＳＳ／ＳＳＳのセルＩＤと同じ場合、ＤＲＳ−ＰＳＳＳ／ＤＲＳ−ＳＳＳがＰＳＳ／ＳＳＳと衝突する場合、二つが衝突する場合、ＤＲＳ−ＰＳＳ／ＤＲＳ−ＳＳＳがＳＳＳ／ＳＳＳにより代替されることができる。そうでない場合、二つが衝突する場合、ＰＳＳ／ＳＳＳは、ドロップ（ｄｒｏｐ）されることができる。
【０１３２】
前述したように、前記ＤＲＳの周期が前記測定ギャップ周期の倍数になるように設定されることが好ましい。また、本明細書で、前記“倍数”は同じ値も含む。したがって、前記測定ギャップ周期が４０ｍｓに設定され、一つの同じ測定ギャップ周期が構成される場合、前記ＤＲＳの周期は、４０ｍｓｅｃ、８０ｍｓｅｃ、１６０ｍｓｅｃのうち一つに設定されることが好ましい。本明細書に基づいて、ＵＥは、前記測定ギャップ内で前記ＤＲＳを測定することができるため、前記ＤＲＳの周期が前記測定ギャップ周期の倍数になるように設定される場合、前記ＤＲＳ周期は、前記測定ギャップと調整されることができる。
【０１３３】
さらに、参照信号が送信されることができる実現可能なサブフレームに対して、ＴＤＤ及びＦＤＤの両方に対して、ＭＢＳＦＮサブフレームは、候補リストから除去される必要がある。したがって、本明細書の他の可能な態様に基づいてディスカバリ信号は、ＭＢＳＦＮサブフレームで送信されない。
【０１３４】
以下、前記ＤＲＳを利用するＵＥに対して測定ギャップと測定要求事項と関連する特徴が詳細に説明される。
【０１３５】
ディスカバリ信号を測定ギャップ周期と調整されるようにする同期は、前記測定がレガシ信号または新しいディスカバリ信号に基づいているかどうかに関係なく、インター周波数測定に対して“同じ測定ギャップ”が適用可能なように許容するものである。そうでない場合、ＵＥは、サービス中断及び性能影響に起因して好ましくない二つの互いに異なる測定ギャップパターンで構成される必要がある。一つ以上の追加的な測定ギャップがＵＥで構成される場合、現在要求事項でＵＥサービス中断時間を増加させない、または同じ量のＵＥ中断時間に制限するように一部制約が考慮されることができる。これは測定区間を増加させ、または前記測定ギャップを短縮させて一般的に実行されることができる。これは二つの態様から考慮される必要がある。一つは、ディスカバリ信号のための測定ギャップを構成することであり、他の一つは、レガシディスカバリ信号のための測定ギャップを構成することである。現在ＲＡＮ４要求事項によると、ＵＥは、以下の数式で新しいＦＤＤセルを検出するように要求される。
【０１３６】
【数３】
2017512443.tif 000005
【０１３７】
ここで：
Ｔ＿Ｂａｓｉｃ＿Ｉｄｅｎｔｉｆｙ＿Ｉｎｔｅｒ＝４８０ｍｓである。これは新しいインター周波数セルを識別するために、ＵＥに対して最大許容された時間が定義される前記インター周波数数式で使われる時間周期である。
【０１３８】
３ＧＰＰ  ＴＳ  ３６．１３３  Ｖ１０．１．０（２０１０−１２）において、Ｎ＿ｆｒｅｑは８．１．２．１．１節で定義され、Ｔ＿ｉｎｔｅｒ１は８．１．２．１節で定義される。
【０１３９】
以下の表は３、ＧＰＰ標準文書で定義される。
【０１４０】
【表１】
2017512443.tif 000006
【０１４１】
例えば、４０ｍｓｅｃの測定ギャップを利用して、ＵＥは、４８０＊４８０／６０＊７＝４８０＊８＊７を有する新しい周波数を発見しなければならない。即ち、８個の測定が周波数に対してインター周波数測定のために使われ、ここで、７個の周波数が検索される。ディスカバリ信号（即ち、ＤＲＳ）が導入される場合、ＵＥは、一つまたは複数個のディスカバリ信号を判読してセル検出を実行するように予定されることができる。このような場合、ディスカバリ信号を有するＵＥに対する要求事項は、４８０＊（４８０＊検出のために要求されるＤＲＳバーストの個数／ＤＲＳ区間）＊Ｎ＿ｆｒｅｑであり、ここで、＊Ｎ＿ｆｒｅｑは、ＤＲＳのみを利用して、またはＤＲＳ及びＣＲＳの両方ともを利用して周波数階層の個数を示すことができる。
【０１４２】
即ち、前記ＤＲＳに対する測定レイテンシと関連されるＵＥ要求事項を決定する場合、前記ＤＲＳの区間（即ち、前記ＤＲＳの周期）が使われることができる。
【０１４３】
本発明の他の態様で、前記測定ギャップが次の方式に定義されることができる。
【０１４４】
前記サービス中断時間を無傷に（ｉｎｔａｃｔ）満たすために、前記測定ギャップがレガシＵＥと調整されないディスカバリ信号が導入される場合、レガシ信号を利用するセル検出に対する要求事項は、要求に応じた（ｔａｉｌｏｒｅｄ）必要がある。
【０１４５】
一つのアプローチ（ａｐｐｒｏａｃｈ）は、ＣＲＳベースのセル検出のためにインター周波数に対する“最小利用可能な時間”を利用し、または（前記測定区間またはパターンが変更されることができる場合）他のＲＡＴは減少されることができる。
【０１４６】
例えば、本明細書で以下の表が提案されることができる。
【０１４７】
【表２】
2017512443.tif 000007
【０１４８】
パターンが前記で図示されているように考慮されることができ、ここで、ＤＲＳベースの測定が制限されることができ、他の手順に対して使われる最小利用可能な時間は制限されることができ、これはディスカバリ信号に対して使われる残余時間を許容する。例えば、４８０ｍｓｅｃの間に、ディスカバリ信号を利用するインター周波数測定は、周波数に対して６＊２（ＤＲＳ検出の２倍を有する６ｍｓｅｃ測定ギャップ）が必要になることを要求し、ＵＥは、ＤＲＳを利用して３個の周波数を監視（ｍｏｎｉｔｏｒ）する必要があり、ＤＲＳのために使われる総時間は、１２＊３＝３６ｍｓｅｃである。したがって、レガシ信号ベースの測定に対して利用可能な時間は、測定ギャップ周期または測定ギャップを緩和して（２または３のように）減少されなければならない。
【０１４９】
ＤＲＸが構成される場合、類似の要求事項が適用可能である。
【０１５０】
ＤＲＳを有する要求事項を決定するための他の選択は、以下に示すようにＯＴＤＯＡ要求事項を利用することである。即ち、ＴＰＲＳは、ＤＲＳ送信区間を有するＴＤＲＳに変更されることができ、Ｍは、判読されるべきサンプルの個数になることができる。
【０１５１】
（３ＧＰＰ  ＴＳ  ３６．１３３の）８．１．２．１節で特定される測定ギャップパターンＩＤ＃０が利用される場合（３ＧＰＰ  ＴＳ  ３６．１３３の）８．１．２．６．１−８．１．２．６．４節に特定される全てのインター周波数ＲＳＴＤ測定要求事項が適用されなければならない。
【０１５２】
（３ＧＰＰ  ＴＳ  ３６．１３３の）８．１．２．６．１−８．１．２．６．４節で特定される全てのインター周波数ＲＳＴＤ測定要求事項は、３ＧＰＰ  ＴＳ  ３６．３３１で特定される全てのＤＲＸサイクルに対してだけでなく、ＤＲＸがなくても適用されなければならない。前述された動作と関連するより詳細な特徴は、３ＧＰＰ  ＴＳ  ３６．１３３  Ｖ１０．１．０（２０１０−１２）の８．１．２．６．１節が参照されることができる。
【０１５３】
ＰＲＳと同様に、セルからのディスカバリ信号送信を周波数で調整するために、下記のように定義することができる。詳しくは、下記の“ＤＲＳ”フィールドが次の用語に基づいてさらに定義されることができる。
【０１５４】
ＤＲＳ
このようなフィールドは、隣接セルのＤＲＳ構成を特定する。
【０１５５】
前記隣接セルのＥＡＲＦＣＮが補助データ参照セル（または、他の隣接セル）に対して同じ場合、前記隣接セル内の各々のＤＲＳ占有（ｏｃｃａｓｉｏｎ）は、前記送信されたＤＲＳ占有がサブフレームの半分を超過しないように仮定されることができる補助データ参照セル内のＤＲＳ占有と少なくとも一部重なるということをターゲット機器は仮定することができる。
【０１５６】
その代案としては、前記隣接セル内の各々のＤＲＳ占有は、前記ＤＲＳ占有が１ｍｓｅｃに設定される場合のＤＲＳ占有と重ならないと前記ターゲット機器は仮定することができる。追加的にまたはその代案としては、上位層シグナリングを介してネットワークにより構成されるように、最大ＤＭＴＣ期間（ｄｕｒａｔｉｏｎ）が６ｍｓｅｃに設定されるＤＭＴＣ期間の間に前記ＤＲＳが送信されると前記ターゲット機器は仮定することができる。したがって、前記ＵＥは６ｍｓｅｃのウィンドウ内で前記ＤＲＳが送信されていると仮定することができ、前記ＤＲＳの最大オフセットは５ｍｓと追加的に仮定することができる。
【０１５７】
前記隣接セルの進化した絶対無線周波数チャネル番号（ＥＡＲＦＣＮ：ｅｖｏｌｖｅｄ  ａｂｓｏｌｕｔｅ  ｒａｄｉｏ−ｆｒｅｑｕｅｎｃｙ  ｃｈａｎｎｅｌ  ｎｕｍｂｅｒ）は、前記サービングセル（または、他のセル）に対して同じであり、前記ターゲットは、前記セルが補助データ参照セルと同じＰＲＳ周期（Ｔｐｒｓ）を有すると仮定することができる。
【０１５８】
即ち、ＵＥは、一周波数で複数のセルからのＤＲＳ送信が周期及びオフセットに対して調整されることを仮定することができる。
【０１５９】
より詳しくは、インター周波数に対するトリガリング参照信号ベースの測定は、ＵＥ測定ギャップパターンに調整されるように、ネットワークが参照信号の送信を調整することができる測定ギャップパターン＃０のみで構成されることができる。
【０１６０】
ＵＥがＯＴＤＯＡ及びＤＲＳの両方で構成される場合、一つの測定ギャップパターンにより全ての測定を調整することは、容易ではない。したがって、一般的に、前記サービングセルが認識すべきＵＥに対して一つ以上の測定ギャップパターンを構成することを考慮する価値がある。しかし、このような場合、ＵＥオーバーヘッドを増加させずに、（測定周期を拡張させて）ＯＴＤＯＡを含むレガシ測定を緩和させることが必要である。または、ＯＴＤＯＡと同様に、ＵＥは（ＯＴＤＯＡだけでなく）ＤＲＳ及びＣＲＳに対して使われるただ一つの測定ギャップで構成されなければならない。しかし、これはＤＲＳベースのディスカバリ手順に対する配置利用例（ｄｅｐｌｏｙｍｅｎｔ  ｕｓｅ  ｃａｓｅｓ）を制限することができる。したがって、一般的に、クラスタ内の小型セル間に少なくとも一部調整が仮定される（即ち、ＤＲＳ占有と関連する前述された仮定も適用可能な）場合、複数測定構成を許容することと共にＵＥ測定ギャップを緩和する考慮が好まれる。これは同じ周波数に拡張されることができる。互いに異なる周波数間に、ＵＥは、前記サービングセルが複数の互いに異なる方式に構成する互いに異なる測定ギャップ開始のオフセットで構成されることができる。
【０１６１】
一つの相違点は、より大きい測定周期に複数のオフセット値を含むような測定ギャップパターンを変更し、またはＵＥが複数の測定ギャップで構成されることができるということである。
【０１６２】
また、前記動作に追加的にまたはその代案としては、ＵＥは、周期、オフセット、期間及び潜在的にはＲＳ類型を含むＤＲＳ構成のセットで構成されることができる。このような場合、周期及び期間は選択的であり、それに対し、オフセットは必須または選択的である（前記フィールドが存在しない場合、ＵＥは、ＳＦＮ及びサブフレームオフセットが前記ターゲットセルと前記サービングセルとの間に調整されることを仮定することができる）。周期が存在しない場合、ＵＥは、４０ｍｓｅｃまたは８０ｍｓｅｃのようなプレフィックスされた値を仮定することができる。
【０１６３】
測定ギャップ（または、複数の測定ギャップ）が構成される場合、ＵＥは、ディスカバリ信号ベースの測定のために、このような構成されたギャップに対するＤＲＳベースの測定のみを実行することができる。
【０１６４】
前述された動作と関連する詳細な特徴が下記のように説明される。
【０１６５】
図１１は、本明細書の一例による前記ＤＲＳに対して実行されたＵＥ測定の例を示す。図示したように、ＵＥは、少なくとも一つのセル、例えば、電力オン／オフ動作をサポートする小型セルを測定するように構成されることができる。図１１において、セル１は常に“オン”であるオンセルであり、それに対し、セル２−３は、周期的なオン／オフ動作を実行する。前述したように、前記ＤＲＳの周期が測定ギャップと同調することが好ましいため、前記ＵＥは、前記測定ギャップ内で前記ＤＲＳを測定するように構成されることができる。また、前述したように、図１１の前記測定ギャップの長さ１１３０は６ｍｓに設定されることができ、前記測定ギャップの繰り返し周期は、４０ｍｓまたは８０ｍｓに設定されることができるため、図１１の前記ＤＲＳの測定周期は、４０ｍｓｅｃ、８０ｍｓｅｃ、または１６０ｍｓｅｃに設定されることができる。前記ＤＲＳの候補は、前記ＰＳＳ、ＳＳＳ、ＣＲＳ、及び選択的にＣＳＩ−ＲＳを含むことができるため、前記ＵＥは、ＲＲＣメッセージを介して伝達される前記“ＤＲＳ構成"に基づいて特定測定期間の間に前記ＰＳＳ、ＳＳＳ、ＣＲＳ、及びＣＳＩ−ＲＳを測定するように構成されることができる。前記ＤＲＳ構成が前記ＲＲＣメッセージを介して伝達されるため、前記ＤＲＳ構成は、前記ＲＲＣ接続モードにある前記ＵＥに伝達される。
【０１６６】
前述したように、ＤＲＳ構成の各々のセットは、周期、オフセット、ＤＲＳ測定のために使われる期間に対する情報を含むことができる。ＤＲＳ構成の各々のセットに含まれる前記情報は、前記ＤＲＳの測定周期、及び前記測定周期のオフセットを指示することができる。したがって、前記ＵＥが前記ＤＲＳを測定することができる期間の開始地点は、前記周期及びオフセットに対する情報に基づいて決定されることができる。しかし、前記ＤＲＳに対する実際の測定は（図１１の１１２０で表示される）ＳＳＳで開始する。より詳しくは、前記ＤＲＳに対する測定は、前記測定周期の各々の周期で前記ＳＳＳを伝送する１番目のサブフレームに対して開始される。前記ＤＲＳに対する前記ＵＥの測定は、ＤＲＳ構成の各々のセットに含まれる前記“期間”に基づいて決定されるサブフレームの間に持続する。図１１において、前記期間１１５０は、４ｍｓに設定されるため、前記ＤＲＳに対する前記測定は、４個のサブフレームの間、持続する。本明細書で、前記期間１１５０の最大値は、５ｍｓに設定されることができる。
【０１６７】
ＤＲＳ構成の各々のセットは、周波数毎に定義されることが好ましい。即ち、単一及び同じＤＲＳ構成は、個別周波数に対して定義されることができるため、ＤＲＳ構成は、同じ周波数を利用する任意のセルに適用可能である。また、前記ＤＲＳ構成が複数の利用可能な周波数間の特定周波数に対して定義される場合、前記ＵＥは、前記ＤＲＳで構成される特定周波数に対してＤＲＳ測定のみを実行し、残りの周波数に対してレガシ測定を実行することができる。前記残りの周波数に対してレガシ測定を実行する場合、前記ＵＥの測定は、前記ＤＲＳ構成に含まれる区間／オフセット／期間に制限されるものではない。したがって、ＵＥは、（可能な場合）前記残りの周波数に対して既存ＰＳＳ、ＳＳＳ、ＣＲＳを持続的に測定することができ、これは前記ＤＲＳ測定で構成されるものではない。
【０１６８】
全てのＤＲＸサイクルで調整される周期的なディスカバリ信号送信を設定することが容易ではないため、考慮される他の態様は、より慎重を要するＤＲＸサイクルである。したがって、ＵＥが測定を実行することができるように、ディスカバリ信号送信区間で調整されるＤＲＸサイクルの間にＵＥがウェイクアップする（ｗａｋｅ  ｕｐ）ことができると仮定されることができる。即ち、ＵＥが（レガシ信号を利用してインター周波数測定のために構成される前記測定ギャップから追加的な測定ギャップである）測定ギャップで構成される場合、ＵＥが自分のＤＲＸ状態と関係なく測定を実行することができると仮定できる。また、このような場合、ＤＲＸサイクル毎に少なくとも一つの測定が行われる制約で測定を実行するために、ＵＥが任意のディスカバリ信号区間または測定ギャップを選択することができると仮定できる。例えば、測定ギャップが８０ｍｓｅｃ毎に構成される時、ＤＲＸサイクルが１２８０ｍｓｅｃの場合、前記ＵＥが要求条件を満たすためにＤＲＸサイクル毎に少なくとも一回前記測定を実行すると、前記ＵＥが前記測定を一回以上実行するかどうかは、ＵＥの実装による。ＵＥが自動（ａｕｔｏｎｏｍｏｕｓ）ギャップを生成することができる場合、改良されたディスカバリ手順のためのネットワーク補助の前記タイミング情報が前記測定をいつ実行するかを決定するのに利用されることができる。
【０１６９】
１．ＰＳＳ／ＳＳＳシーケンスの設計
【０１７０】
まず、ＰＳＳ及び／またはＳＳＳの信号生成の設計選択が記述される。
【０１７１】
レガシＵＥによるＰＳＳ／ＳＳＳの検出を回避するために、レガシＰＳＳ／ＳＳＳ及び改良されたディスカバリ手順でＤＲＳのためのＰＳＳ／ＳＳＳ間に時間及び周波数に対して互いに異なるリソースを利用することが好ましい。また、以下の表で示す互いに異なるコードを利用することも考慮可能である。
【０１７２】
【表３】
2017512443.tif 000008
【０１７３】
ここで、ａ、ｂ、及びｃは、互いに異なる数字である２５、２９及び３４である。これはセル検索／同期化に対して改良されたＵＥの複雑度を増加させる。しかし、これはレガシＵＥが改良されたディスカバリ信号の検出を禁止することを可能にする。
【０１７４】
また、単一ショット（ｓｉｎｇｌｅ  ｓｈｏｔ）ＰＳＳ送信を利用して粗い（ｃｏａｒｓｅ）時間／周波数トラッキング（ｔｒａｃｋｉｎｇ）を実行することは十分でないかもしれない。したがって、連続的なＰＳＳ送信が複数のサブフレームで発生されることができ、またはＰＳＳ送信の複数の入射（ｉｎｃｉｄｅｎｔ）を利用してＵＥが粗い時間同期化を取得することができるように、ＰＳＳ送信がバースト（ｂｕｒｓｔ）方式に発生されることができる多発的（ｍｕｌｔｉ−ｓｈｏｔ）ＰＳＳ送信を考慮することが好ましい。後者が使われる場合、ＰＳＳ送信の周期は、長くてはならない。例えば、ＰＳＳが毎４０ｍｅｓｃまたは８０ｍｓｅｃに送信されるように、少なくとも測定ギャップ区間（４０ｍｓｅｃまたは８０ｍｓｅｃ）が周期として使われることができる。ＳＳＳが周波数トラッキング及び／または時間トラッキングのために使われる場合、ＳＳＳのための類似のアプローチも適用されることができる。
【０１７５】
セル検出性能を向上させるために、ＰＳＳ／ＳＳＳが送信される場合、いくつかのアプローチが考慮されることができる。
【０１７６】
（１）クラスタ内の複数のセルからＰＳＳ及び／またはＳＳＳのＳＦＮ送信
【０１７７】
（２）ただ一部セルのみがＰＳＳ及び／またはＳＳＳを送信する
【０１７８】
（３）また、ＰＳＳ／ＳＳＳミューティング（ｍｕｔｉｎｇ）またはＩＣＩＣ：ＰＳＳ／ＳＳＳの多重化能力を向上させるために、ディスカバリ信号がＰＳＳ／ＳＳＳ／ＣＳＩ−ＲＳ（例えば、これらの組み合わせに制限されない）を含む場合、複数のセル間にＴＤＭアプローチが考慮されることができる。例えば、ＣＳＩ−ＲＳのような前記測定ＲＳが４０ｍｓｅｃのようにより頻繁に送信されることができる場合、ディスカバリ信号が２００ｍｓｅｃ毎に送信されると（ｃｅｌｌ  ＩＤ検出信号）、ＰＳＳ／ＳＳＳは、２００ｍｓｅｃ毎に送信されることができ、それに対し、ＣＳＩ−ＲＳが４０ｍｓｅｃ毎に送信される。１番目の４０ｍｓｅｃ区間で、セル１は、ＰＳＳ／ＳＳＳ／ＣＳＩ−ＲＳを送信することができ、それに対し、他のセルは、単にＣＳＩ−ＲＳ等のみを送信する。２番目の４０ｍｓｅｃ区間で、セル２は、ＰＳＳ／ＳＳＳ／ＣＳＩ−ＲＳを送信することができ、それに対し、他のセルは、単にＣＳＩ−ＲＳ等のみを送信する。このような方法により、セル検出手順によりディスカバリされたセルに対して測定が実行されることができる場合、ＰＳＳ／ＳＳＳに対する干渉が最小化されることができる。これはＰＳＳ／ＳＳＳが５ｍｓｅｃ毎に送信され、一方で、ＣＲＳが測定のためにサブフレーム毎に送信される場合と類似する。ＵＥ測定観点から、ただ一回の測定のみが２００ｍｓｅｃ毎に実行される場合、ＵＥは、自分の測定のために任意のＣＳＩ−ＲＳ（または、ＣＲＳ）送信の入射を選択することができる。サブフレームにわたったＴＤＭの代りに、セル毎にシフト（ｓｈｉｆｔ）ＯＦＤＭシンボルにより互いに異なるＯＦＤＭシンボルで送信されることができる（または、シフト値がセルＩＤで縛られる）場合、サブフレーム内でのＴＤＭまたはＦＤＭも考慮されることができる。前記例示は、図１２で図示される。頻繁でなくＰＳＳ／ＳＳＳを送信することの代りに、互いに異なるセルが前記ディスカバリ信号のセットを送信するために、互いに異なる区間を占めることができる場合、全ての前記ＲＳは、頻繁でなく送信されることができる。例えば、図面において、セル１は、1番目の４０ｍｓｅｃ区間でＰＳＳ／ＳＳＳ／ＣＳＩ−ＲＳを送信することができ、それに対し、セル２は、２番目の４０ｍｓｅｃ区間でＰＳＳ／ＳＳＳ／ＣＳＩ−ＲＳを送信することができる。このようなアプローチが使われると、直交性を増加させるために複数のセル間にＴＤＭが使われる場合、互いに異なるセルまたはＣＲＳパターン間に同じＣＳＩ−ＲＳ構成が使われることができる。これは各セルからのディスカバリ信号送信が互いに異なるオフセット値を使用する場合、固定されたディスカバリ信号送信周期に“オフセット”されると見なされる。
【０１７９】
（４）ＰＳＳ及び／またはＳＳＳ除去（ｃａｎｃｅｌｌａｔｉｏｎ）に対する情報：ＵＥが（前記除去性能を向上させることができる）セルＩＤのリスト内でＰＳＳ及び／またはＳＳＳ除去を実行することができる場合、前記セルＩＤのリストがＵＥに構成されることができる。
【０１８０】
ＣＳＩ−ＲＳに適用可能な本明細書の全ての提案されたアイディアは、ＤＲＳがＰＳＳ／ＳＳＳ／ＣＲＳを含む場合、ＣＲＳに適用可能である。
【０１８１】
レガシＺＰ  ＣＳＩ−ＲＳ構成によりカバーされることができる、潜在的には追加的なＰＳＳ／ＳＳＳを送信することに対するレガシＵＥ影響を考慮し、全体ＲＢが正規ＣＰ  ＦＤＤ／ＴＤＤに対してＯＦＤＭシンボル２及び３でＰＳＳ／ＳＳＳを送信することが好ましい。正規ＣＰ  ＴＤＤに対して、全体ＲＢが非ＺＰ  ＣＳＩ−ＲＳ構成によりカバーされることができる場合、ＯＦＤＭシンボル１及び３が使われることができる（したがって、ＺＰ  ＣＳＩ−ＲＳ構成がディスカバリ信号に対してＰＳＳ／ＳＳＳ送信をカバーすることができる）。拡張ＣＰに対して、ＴＤＤ／ＦＤＤに対してＯＦＤＭシンボル４／５が考慮されることができ、第２のスロットでＴＤＤに対してＯＦＤＭシンボル１／３が考慮されることができる。ＣＳＩ−ＲＳがレガシＵＥに構成されない場合、ディスカバリ信号送信区間によってＺＰ  ＣＳＩ−ＲＳ構成が構成される（例えば、４０ｍｓｅｃ毎に、ＺＰ  ＣＳＩ−ＲＳ構成が構成される）。また、ディスカバリ信号がＣＳＩ−ＲＳを含む場合、ディスカバリ信号ＣＳＩ−ＲＳを送信することが考慮されることができるいくつかの例がある。
【０１８２】
（１）システム帯域幅が１．４Ｍｈｚより大きく、ＣＳＩ−ＲＳが全体システム帯域幅に対して送信され、または（ディスカバリ信号送信のために）１．４Ｍｈｚ帯域幅より大きい場合、ＣＳＩ−ＲＳがＰＳＳ／ＳＳＳ（便宜のために、ＤＲＳ−ＣＳＩ−ＲＳをディスカバリ信号のために使われるＣＳＩ−ＲＳといい、そしてＤＲＳ−ＰＳＳ／ＤＲＳ−ＳＳＳをディスカバリ信号のために使われるＰＳＳ／ＳＳＳという）と衝突する時、ＣＳＩ−ＲＳ送信を“排除する（ｏｍｉｔ）”ことが考慮されることができる。これはＤＲＳ−ＣＳＩ−ＲＳがＤＲＳ−ＰＳＳ／ＤＲＳ−ＳＳＳと衝突する場合、排除されることができるということを意味する。したがって、ＤＲＳ−ＣＳＩ−ＲＳは、ＤＲＳ−ＰＳＳ／ＤＲＳ−ＳＳＳが送信される中心６個のＰＲＢを除いて、潜在的には全体システム帯域幅（または、構成されたシステム帯域幅）を介して送信される。これはＤＲＳ−ＰＳＳ／ＤＲＳ−ＳＳＳが送信される同じＯＦＤＭシンボルでＤＲＳ−ＣＳＩ−ＲＳが送信される場合に適用可能である。前記の例は、図１３に示される。（図１３において、ＤＲＳ−ＣＳＩ−ＲＳ１３３０がＤＲＳ−ＰＳＳ１３１０及びＤＲＳ−ＳＳＳ１３２０と衝突する１番目の場合及びＤＲＳ−ＣＳＩ−ＲＳ１３３０がＤＲＳ−ＰＳＳ１３１０及びＤＲＳ−ＳＳＳ１３２０と衝突しない２番目の場合が図示される。）システム帯域幅が１．４Ｍｈｚである場合、他の信号と共にＤＲＳ−ＣＳＩ−ＲＳを送信するために、他の信号と衝突しない互いに異なるＣＳＩ−ＲＳ構成が使われ、または互いに異なるサブフレームがＤＲＳ−ＣＳＩ−ＲＳ送信のために使われる必要がある。
【０１８３】
（２）システム帯域幅と関係なく、ＤＲＳ−ＰＳＳ／ＤＲＳ−ＳＳＳが同じＯＦＤＭシンボル内の任意のＰＲＢで送信される場合、ＤＲＳ−ＣＳＩ−ＲＳが常に送信されるものではない。例えば、ＰＳＳが第２のスロットのＯＦＤＭシンボル２で送信される場合、第２のスロットのＯＦＤＭシンボル２にわたった（ｓｐａｎｎｉｎｇ）ＣＳＩ−ＲＳ構成は、ＤＲＳ−ＣＳＩ−ＲＳ構成のために使われない。
【０１８４】
前記段落で、ＤＲＳ−ＰＳＳ、ＤＲＳ−ＳＳＳ、ＤＲＳ−ＣＲＳ、ＤＲＳ−ＣＳＩ−ＲＳ、及びＤＲＳ−ＰＲＳは、各々、前記ＤＲＳ内に含まれるＰＳＳ、ＳＳＳ、ＣＲＳ、ＣＳＩ−ＲＳ及びＰＲＳを指示する。本明細書の一態様において、前述されたＲＳは、シーケンス生成に対して既存ＲＳと類似するが、互いに異なる波形が使われることができる。具体的に、既存ＰＳＳ及びＤＲＳ−ＰＳＳが同じ波形を介して送信されることができ、それに対し、送信方式またはリソース割当が全てのＰＳＳに互いに異なるように適用されることができる。したがって、前記ＤＲＳ−ＰＳＳの前記送信方式に依存して、前記ＵＥは、一部態様で前記ＤＲＳ−ＰＳＳが前記既存ＰＳＳと同じであるということを仮定することができる。これは前記既存ＳＳＳ及び前記ＤＲＳ−ＳＳＳにも適用可能である。したがって、前記既存ＳＳＳ及びＤＲＳ−ＰＳＳは、シーケンス生成及びリソース割当の観点で互いに異なる。
【０１８５】
ＤＲＳに対してＣＳＩ−ＲＳが使われる場合、ＵＥが主にＣＳＩ測定のためにＣＳＩ−ＲＳ構成で構成されることができるということも実現可能である。ＤＲＳ−ＣＳＩ−ＲＳ構成とＣＳＩ−ＲＳ構成が特定セルに対して同じ場合、二つのＣＳＩ−ＲＳがＣＳＩ測定のために使われることができる。異なるように表示されない限り、ＵＥは、ＣＳＩ測定のために構成されるＣＳＩ−ＲＳ構成のみがＣＳＩ測定のために使われると仮定することができる。
【０１８６】
ＤＲＳ−ＣＳＩ−ＲＳがＤＲＳ−ＰＳＳまたはＤＲＳ−ＳＳＳと衝突する時、ＤＲＳ−ＣＳＩ−ＲＳが測定のために送信されない場合、ＤＲＳ−ＰＳＳ及び／またはＤＲＳ−ＳＳＳが使われることができる。例えば、ＲＳＲＰを測定するために、ＤＲＳを伝送する全てのＲＥが測定を実行するために使われることができる。ＲＳＳＩ測定のために、ＲＳＳＩがＲＳＳＩまたは全体サブフレームを測定するように構成されるＯＦＤＭシンボルでのみ測定されることができる。しかし、ＤＲＳ−ＰＳＳ／ＤＲＳ−ＳＳＳが複数のセルによるＳＦＮ方式に送信される（したがって、電力が累積される）場合を考慮すると、ＲＳＲＰ類似測定でＤＲＳ−ＰＳＳ及び／またはＤＲＳ−ＳＳＳを考慮しないことも考慮されることができる。また、このような測定のためのＲＥを含むかどうかの行為（ｂｅｈａｖｉｏｒ）が前記ネットワークにより構成されることができる。一般的に、ＤＲＳ−ＣＳＩ−ＲＳ及びＤＲＳ−ＰＳＳ／ＤＲＳ−ＳＳＳに対して使われる前記セルＩＤが同じ場合、二つのＲＳが測定のために使われることができる。そうでない場合、ただ一つの類型のＲＳが測定のために使われる。互いに異なる方式にセル検出／検証（ｖｅｒｉｆｉｃａｔｉｏｎ）のために使われるＲＳが測定のために使われる。部分的にＤＲＳ−ＰＳＳ／ＤＲＳ−ＳＳＳがセルＩＤ検出のために使われる時、ＤＲＳ−ＣＳＩ−ＲＳが最終的にセル検証のために使われる場合、ＤＲＳ−ＣＳＩ−ＲＳのみが測定のために使われる。
【０１８７】
ＣＲＳがディスカバリ信号のために使われる場合、このような種類の問題は存在しない。また、レガシＵＥに対する影響を減少させるために、ディスカバリ信号が送信されるサブフレームは、ＭＢＳＦＮサブフレームで構成されることができる。
【０１８８】
２．セルＩＤ及び測定のために使われるＣＲＳまたはＣＳＩ−ＲＳまたはＰＲＳの設計及び測定
【０１８９】
ＰＳＳ／ＳＳＳが頻繁でなく送信されることができるにもかかわらず、測定のために使われるＣＲＳまたはＣＳＩ−ＲＳまたはＰＲＳは、より頻繁に送信される必要がある。したがって、ディスカバリ信号が複数の信号（例えば、ＰＳＳ／ＳＳＳ＋ＣＳＩ−ＲＳ）を含む場合、一つの信号を送信する区間／期間は、他の信号を送信する区間／期間と互いに異なることがある。即ち、前記ディスカバリ信号送信の区間は固定されることができるが、依然として、複数の信号が１回（ｅｐｉｓｏｄｅ）のディスカバリ信号送信内に存在するかどうかは互いに異なることがある。一例は、４０ｍｓｅｃ毎に一つのＰＳＳ／ＳＳＳを送信し、それに対し、ｍ個のサブフレーム（例えば、ｍ＝６）に対してＣＲＳまたはＣＳＩ−ＲＳが（ＭＢＳＦＮ  ＳＦに対して）全サブフレームで送信される。また、より詳しくは、サブフレーム＃０／＃５の毎４０ｍｓｅｃでＰＳＳ／ＳＳＳが送信されることができ（即ち、４０ｍｓｅｃ毎に２回）、そして、ＣＲＳ／ＣＳＩ−ＲＳは、ＰＳＳ／ＳＳＳより頻繁に送信されることができ、または現在構成に従うことができる（例えば、ＣＲＳ＝ｍ個のサブフレームに対して連続的であり、ＣＳＩ−ＲＳは構成された周期に従う）。
【０１９０】
ディスカバリ信号（即ち、前記ＤＲＳ）が複数の信号を含む場合、信号間にＱＣＬ関係が考慮されることができる。例えば、ディスカバリ信号のためにＰＳＳ／ＳＳＳ及びＣＲＳまたはＣＳＩ−ＲＳまたはＰＲＳが使われ、ＰＳＳ／ＳＳＳアンテナポート及びＣＲＳまたはＣＳＩ−ＲＳまたはＰＲＳアンテナポートが平均遅延、遅延スプレッド、ドップラースプレッド及びドップラーシフト（または、特性のサブセット（ｓｕｂｓｅｔ））のような大規模特性（ｌａｒｇｅ  ｓｃａｌｅ  ｐｒｏｐｅｒｔｉｅｓ）に対してＱＣＬ関係を有することができる。即ち、前記ＤＲＳに含まれるＰＳＳ／ＳＳＳが粗い時間／周波数トラッキングのために使われる場合、粗い時間／周波数トラッキングのために使われる信号は、セル識別または測定のために使われる信号とＱＣＬ関係を有することができる。また、セル識別のためのＲＳは、測定のためのＲＳとＱＣＬ関係を有することができる。（ＱＣＬ行為ＡまたはＢのような）ＱＣＬ関係または行為の明示的シグナリングが上位層シグナリングを介してＵＥに考慮されることができる。また、ＰＳＳ／ＳＳＳにより使われるセルＩＤとＣＳＩ−ＲＳまたはＣＲＳまたはＰＲＳとの間のマッピングがシグナリングされることができる。
【０１９１】
３．ディスカバリ信号設計
【０１９２】
以下、ＤＲＳの信号設計に関連する特徴がより詳細に説明される。前記ＤＲＳに含まれるＲＳが既存ＲＳの観点で修正された特徴である場合、下記の特徴には利点がある。
【０１９３】
ＰＳＳ、ＳＳＳ及びＣＳＩ−ＲＳを含む信号を設計する場合、次の問題が考慮されなければならない。
【０１９４】
−ＰＳＳ／ＳＳＳに対する莫大な（ｈｅａｖｙ）干渉に起因して、除去が完全に動作することができない、またはＰＳＳ／ＳＳＳミューティングが使われない場合、“ＳＦＮされた”ＰＳＳ／ＳＳＳの送信を使用することが考慮される。
【０１９５】
−即ち、時間／周波数トラッキングに対してＰＳＳ／ＳＳＳが使われ、実際のセルＩＤ検索がＣＳＩ−ＲＳに基づいて実行されることができる。
【０１９６】
−セルＩＤ検出の個数を最小化するために（仮説）、仮想セルＩＤがＰＳＳ／ＳＳＳに対して使われるセルＩＤにより誘導されることができる場合、ＣＳＩ−ＲＳに対して仮想セルＩＤが構成されることができる小型セルでの共有セルＩＤの追加的な考慮。例えば、仮想セルＩＤが［物理セルＩＤ＋ｍｉｎ＿ＩＤ、物理セルＩＤ＋ｍａｘ＿ＩＤ]になり、ここで、ＰＳＳ／ＳＳＳを生成するために物理セルＩＤが使われる。
【０１９７】
−ＳＳＳの品質に依存して、一つまたは二つ（または、それ以上）のＳＳＳシーケンスが送信されることができる。そして、
【０１９８】
−ＵＥ電力消費及び信頼性を考慮して、一つのディスカバリ信号送信で一つ以上のＤＲＳ−ＰＳＳ及び／またはＤＲＳ−ＳＳＳ対を送信することも考慮されることができる。
【０１９９】
ＤＲＳ−ＰＳＳ及び／またはＤＲＳ−ＳＳＳの位置に対して、レガシＵＥによるＤＲＳの検出を回避するために、また、多重化能力を向上させるために、Ｒｅｌ−８  ＰＳＳ／ＳＳＳ位置と互いに異なる新しい位置が考慮されることができる。図１３で示すように、一例は、正規ＣＰで第２のスロットでＯＦＤＭ  ｓｙｍｂｏｌ  ２／３を活用することである。ＦＤＤと互いに異なるギャップを形成するために、ＤＲＳ−ＰＳＳ／ＤＲＳ−ＳＳＳが各々ＯＦＤＭシンボル２／３で配置されることができる。また、上位層シグナリングを介してまたは前記セルが検出されて（ターゲットセルがウェイクアップしている場合）システム情報放送を受信することで、ＵＥは、システム情報を受信することを期待することができるため、ＦＤＤ／ＴＤＤ間に互いに異なるギャップを有する必要がない。したがって、二重化と関係なくＤＲＳ−ＰＳＳ／ＤＲＳ−ＳＳＳ間に同じギャップを使用することを提案する。また、ＤＲＳ−ＰＳＳ／ＤＲＳ−ＳＳＳ組み合わせの代りに、次の組み合わせも考慮されることができる。
【０２００】
（１）ＤＲＳ−ＰＳＳ０／ＤＲＳ−ＰＳＳ１、ここで、ＰＳＳ０及びＰＳＳ１は、（互いに異なるルートインデックス（ｒｏｏｔ  ｉｎｄｉｃｅｓ）により生成される）互いに異なるコードを有することができる。そして、
【０２０１】
（２）ＤＲＳ−ＰＳＳ／ＤＲＳ−ＳＳＳ０／ＤＲＳ−ＳＳＳ１、ここで、ＳＳＳ０及びＳＳＳ１がＲｅｌ−８  ＳＳＳシーケンス生成によりサブフレーム＃０／＃５で送信されるようにＳＳＳ０及びＳＳＳ１は生成されることができる。
【０２０２】
ＤＲＳ−ＰＳＳ／ＤＲＳ−ＳＳＳの候補位置は、これらとの衝突を回避する：
【０２０３】
（１）ＰＤＣＣＨ（少なくとも一つまたは二つのＯＦＤＭシンボル）。
【０２０４】
（２）ＣＲＳ（少なくとも一つのアンテナポートに対して）。
【０２０５】
（３）ＰＳＳ。
【０２０６】
（４）ＳＳＳ：ＳＳＳが送信されてディスカバリ信号のために使われる場合、ＳＳＳ０またはＳＳＳ１（サブフレーム＃０またはサブフレーム＃５で送信されるシーケンスが使われることができる。しかし、前記ＵＥが二つのＳＳＳシーケンスを判読してセルのＳＦＮまたはサブフレームインデックスを検出しない場合、全てのシーケンスを使用することが好ましい）。
【０２０７】
（５）ＰＢＣＨとの衝突を回避することの潜在的な考慮。そして、
【０２０８】
（６）保護区間（Ｇｕａｒｄ  ｐｅｒｉｏｄ）。
【０２０９】
図１４は、本明細書の一態様によるＤＲＳ−ＰＳＳ及びＤＲＳ−ＳＳＳの候補位置を示す。
【０２１０】
正規サブフレームで、候補位置は、下記の通りである。
【０２１１】
図示されているように、正規ＣＰで、各スロットのＯＦＤＭシンボル２／３が使われることができる。拡張ＣＰで、第２のスロット内のＯＦＤＭシンボル１／２が使われることができる。特殊（ｓｐｅｃｉａｌ）サブフレームで、正規／拡張ＣＰで第１のスロット内のＯＦＤＭシンボル２／３または第１のスロット内の１／２が考慮されることができる。ＰＳＳ／ＳＳＳとの衝突を回避するために、また、ＤＲＳ−ＣＳＩ−ＲＳが送信される場合、ＰＳＳ／ＳＳＳと衝突するＰＲＢでＤＲＳ−ＣＳＩ−ＲＳが送信されない（ＤＲＳ−ＣＳＩ−ＲＳがディスカバリ信号性能に影響を及ぼすことができる）、または性能影響を回避するために、システム帯域幅が６個のＰＲＢより大きい場合にのみ非中心の６個のＰＲＢでＤＲＳ−ＣＳＩ−ＲＳが送信されることも仮定されることができる。また、ディスカバリ信号は、ＰＳＳ／ＳＳＳが前記ネットワーク構成により送信されないサブフレームでのみ送信されることができるため、衝突が発生されない。ＤＲＳがＰＢＣＨと衝突する場合、改良されたＵＥは、ＤＲＳがＰＢＣＨと関係なく送信される（したがって、ＰＢＣＨがレート整合され、またはパンクチュアリング（ｐｕｎｃｔｕｒｅｄ）される）。レガシＵＥがＤＲＳ信号を知らないため、前記ＤＲＳがＰＢＣＨと衝突するＲＥを再定義（ｏｖｅｒｒｉｄｅ）することによって、レガシＵＥの性能が影響を受けるようになる場合、ＰＢＣＨが送信されると仮定されることができる。
【０２１２】
また、前記ＤＲＳを送信する場合、ＤＲＳ信号のＲＥ密度を決定することができるアンテナポートの個数は、ＰＢＣＨアンテナポートにより指示される実際のアンテナポートと関係なく決定されることができる。密集された（ｄｅｎｓｅ）ＤＲＳ送信を許容するために、実際の送信が単一アンテナポートまたは複数のアンテナポートを介して実行されることができる（ＲＥマッピングのみのための）４個のアンテナポートを固定することが好ましい。ＲＳＲＰを計算する観点で、全てのＲＥが測定のために使われることができるように、ＵＥが単一アンテナから送信されるということを仮定することができる。図１５は、本明細書によるＣＲＳに基づくＤＲＳ  ＲＳパターンを示す。
【０２１３】
ＣＳＩ−ＲＳがＤＲＳのために使われる場合、上位層により構成され、または前記ＵＥに知られた単一ポートまたは複数のポートを介して実際の送信が実行されることができるＲＥ位置を決定するために４個のアンテナポートが仮定されることができる。即ち、ＣＤＭが活用されない。Ｒｅｌ−１１標準文書のように、現在ＣＳＩ−ＲＳ構成で４個のアンテナポートが仮定される場合、同じシーケンスが前記リソース位置を介して送信される単一アンテナポートを仮定して単一シーケンスが生成されることができる。即ち、マッピングの例は、以下の数式に基づいている。前記ＵＥがアンテナポートに対して任意の情報を取得しない場合、単一アンテナポート送信を仮定することができる。
【０２１４】
【数４】
2017512443.tif 000009
【０２１５】
ＰＲＳが使われる場合、ＰＲＳの密度が４個のポートより高いＤＲＳのために、一つまたは二つのアンテナＰＢＣＨポートを有するパターンが使われる。
【０２１６】
４．データ送信でＤＲＳの多重化
【０２１７】
ディスカバリ信号（即ち、ＤＲＳ）が送信される場合、前記セルがオン状態であり、またはＭＢＭＳ送信が発生すると、データ送信が発生されることができる。ＭＢＭＳ送信に対し、これはＭＢＭＳ領域内のリソースを占めることができるため、ディスカバリ信号が送信されるサブフレームでＭＢＭＳ送信を送信することは好ましくない。したがって、ＭＢＭＳを受信するように予定されるＵＥは、サブフレームでディスカバリ信号を受信するように予定されることができない。例えば、前記ＵＥがＭＢＭＳサービス及び／またはＭＢＭＳサブフレームを受信するように構成される場合、前記ＤＲＳに対する測定が対応するサブフレームで実行されることができる。改良されたＵＥに対する、オン状態でのデータ送信に対して、レート整合パターンが考慮される必要がある。ディスカバリ信号のために一つ以上のゼロ電力（ＺＰ）ＣＳＩ−ＲＳ構成で構成される場合、ＵＥは、データがこのようなリソース要素周辺にレート整合されると仮定することができる。即ち、実際のディスカバリ信号送信と関係なくミューティングまたはレート整合パターンがＵＥに構成されることができる。ＵＥは、依然として、データがこのようなＲＥ周辺にレート整合されるこれらのＺＰ  ＣＳＩ−ＲＳ構成で、ＰＳＳ／ＳＳＳ、ＣＳＩ−ＲＳのような他の信号が送信されることができると、さらに仮定する。ＥＰＤＣＣＨが前記サブフレームで構成される場合、ｅＰＤＣＣＨリソースに対して利用可能なＲＥの個数を計算することに同じレート整合が適用されることができる。即ち、ディスカバリ信号のためのＺＰ  ＣＳＩ−ＲＳ構成により構成されるこのようなＲＥは、ＥＰＤＣＣＨ利用可能なＲＥを占めずに、最小アグリゲーション水準及びリソースマッピングを決定する必要な手順が取られなければならない。
【０２１８】
ディスカバリ信号及びデータ送信に対して使われるＣＰ長さが互いに異なる場合（例えば、ＤＲＳに対して拡張ＣＰ及びデータ送信に対して正規ＣＰ）、データ送信が発生する場合、改良されたＵＥは、ＤＲＳに対して使われるＣＰがデータ送信のために（また、ＰＤＣＣＨ送信のために）データ及びｅＰＤＣＣＨ送信を含むサブフレームでも使われると仮定することができる。
【０２１９】
さらに、ＤＲＳが（全体システム帯域を介してではなく）副帯域を介してのみ送信される場合を考慮して、ＺＰ  ＣＳＩ−ＲＳ構成は、ＺＰ  ＣＳＩ−ＲＳ構成が適用されることができる帯域幅またはＰＲＢのリストを含むこともできる。
【０２２０】
ＣｏＭＰ動作を考慮すると、動的地点選択（ＤＰＳ：ｄｙｎａｍｉｃ  ｐｏｉｎｔ  ｓｅｌｅｃｔｉｏｎ）が使われる場合、ディスカバリ信号送信を考慮して、一つは、（隣接セルの）ＣＳＩ−ＲＳ構成のためのデータレート整合のために使用し、他の一つは、ＤＲＳ構成のためのデータレート整合のために使われる、一つ以上のＺＰ  ＣＳＩ−ＲＳ構成がＰＱＩエントリー毎に構成されることができる。前記区間が二つのＺＰ−ＣＳＩ−ＲＳ構成間で互いに異なることがあるため、互いに異なるＺＰ−ＣＳＩ−ＲＳ構成または少なくとも二つの互いに異なる区間／オフセット構成を構成することがさらに好ましい。これは単に改良されたＵＥにのみ適用可能である。必要な場合、ＤＲＳ信号のＣＳＩ−ＲＳリソースの可能なホッピングを考慮すると、ホッピングパターンまたは構成変化がＤＲＳに対して使われるＣＳＩ−ＲＳ構成で特定されることができる。即ち、実際のＺＰ−ＣＳＩ−ＲＳ  ＲＥ位置があらかじめ決定されたまたは上位層で構成されたパターン以後の時間に対して変更されることができるように、ＤＲＳに対して構成されたＺＰ−ＣＳＩ−ＲＳ構成がサブフレームインデックス従属またはＳＦＮ従属ＲＥマッピングまたは構成マッピングを有することができる。または、特定セルからＤＲＳ−ＣＳＩ−ＲＳへのＲＥ間に実際のマッピングが時間によってまたはＳＦＮによって変更されることができる場合、複数の隣接セルからの複数のＤＲＳ信号に対する複数のＮＺＰ−ＣＳＩ−ＲＳ構成を含むＺＰ−ＣＳＩ−ＲＳ構成のみがＵＥに構成されることができる。即ち、セルＩＤ＝１は、ＣＳＩ−ＲＳの次にＣＳＩ−ＲＳ構成＃１を送信することができる一時間でＣＳＩ−ＲＳ構成＃０でＣＳＩ−ＲＳを送信することができる。実際の位置変化と関係なく、ＺＰ−ＣＳＩ−ＲＳ構成で構成されるＵＥは、レート整合される。
【０２２１】
ＳＰＳ−ＰＤＳＣＨが送信されるサブフレーム毎に、前記構成によって、また、ＳＰＳに対して前記レート整合が適用されることができる。
【０２２２】
前述したように、ＺＰ−ＣＳＩ−ＲＳ構成に対して少なくとも二つの互いに異なる区間／オフセット構成が本明細書でサポートされることができる。一例で、互いに異なる区間／オフセット構成の最大個数は、前記ＵＥが（図１１で示すように）前記ＤＲＳに対する測定を実行する間の期間と関連されることができる。前述したように、前記期間の最大長さは、５ｍｓに設定されることができて、互いに異なる区間／オフセットの最大個数は、５に設定されることができる。即ち、ＺＰ−ＣＳＩ−ＲＳに対して使われるゼロまたは最大５個の互いに異なる区間／オフセット構成が本明細書で使われることができる。少なくとも二つの区間／オフセット構成が提供される場合、前記区間／オフセットは、別々に構成される。
【０２２３】
５．セル間で調整されない（ｍｉｓａｌｉｇｎｅｄ）ＳＦＮ
【０２２４】
小型セルクラスタでディスカバリ信号（即ち、ＤＲＳ）を送信するセルがＳＦＮに対して調整されない場合、同じサブフレームでディスカバリ信号を送信するために‘参照（ｒｅｆｅｒｅｎｃｅ）’として使われることができるセルを選択する必要がある。または、配置された（ｏｖｅｒｌａｉｄ）マクロセルのＳＦＮが参照として使われる。また、サービングセルが（サービングセルとターゲットセルまたはディスカバリセル間に）オフセット値を付与してディスカバリ信号タイミング情報と共に前記ＵＥに構成されることができることが可能である。特に、ＳＦＮ％４＝０を有する全ての４０ｍｓｅｃのような固定されたサブフレーム／ＳＦＮでＤＲＳが送信される場合、前記基準が必要であり、ＵＥは、前記ターゲットセル（または、ディスカバリするセル）のＳＦＮ及び／またはサブフレームインデックスを知る必要がある。しかし、ＵＥが一回の試みで複数のセルをディスカバリすることができるように、ディスカバリ信号を送信するセルが測定ギャップ内で自らを調整することができる。したがって、このようなＳＦＮ及び／またはサブフレームオフセットまたは実際の値は、セル毎に構成されるよりは周波数毎に構成されることができる。前記ディスカバリ信号ベースの測定に対してサービング及び隣接セル間に前記オフセット値を指示するためにオフセットが使われることができる測定ギャップ（または、ディスカバリ信号ベースの測定対象に対する類似の構成）にこのようなＳＦＮ及び／またはサブフレームオフセットまたは実際の値が適用されることができる。しかし、ＵＥは、複数のセルからディスカバリ信号が同じサブフレームで到着することができるということを仮定しない。
【０２２５】
前述したように、多数の小型セルがＤＲＳを送信する場合、互いに異なるＤＲＳ間に非調整が発生されることができるため、前記ＵＥに付与される前記ＤＲＳの測定期間及びオフセットは、前記ＵＥが前記ＤＲＳ測定のための正確なタイミングを決定することを可能にする十分の情報でない。したがって、ＵＥは、同じサブフレームで前記ＤＲＳを送信するための参照として使われることができるセルを選択するように要求される。前記議論されたように、前記マクロセル（例えば、主（ｐｒｉｍａｒｙ）セル）のシステムフレームナンバー（ＳＦＮ）が前記非調整に対する前記参照になることができる。
【０２２６】
６．セル間で調整されないＣＰ
【０２２７】
ディスカバリ信号（即ち、ＤＲＳ）を保護するために、互いに異なるＣＰを使用するセルにより送信されるディスカバリ信号をカバーする別個のゼロ電力ＣＳＩ−ＲＳ構成を構成することが好ましい。例えば、ディスカバリ信号に関連する構成に対して、前記使われたＣＰが指示され、または一つ以上のディスカバリ信号に関連する構成が各々のＣＰ長さ毎に構成されることができる。例えば、ＤＲＳ−ＰＳＳ／ＤＲＳ−ＳＳＳが正規ＣＰ及び拡張ＣＰに対して互いに異なるＯＦＤＭシンボルで送信されることができる。したがって、参照信号の互いに異なるサブフレームで送信することが好ましい。または、一つ単純なアプローチは、データ送信のために使われる実際のＣＰと関係なく“拡張ＣＰ”または“正規ＣＰ”を使用することである。このような場合で、ディスカバリされる前記セルを構成する時、データ送信のために使われる実際のＣＰがＵＥで構成される（または、ＵＥによりディスカバリされる）。実際のＣＰが使われる場合、ディスカバリ信号に対して使われるＣＰがデータ送信のために使われるＣＰと同じであるということをＵＥが仮定しない。これはＤＲＳ−ＰＳＳ／ＤＲＳ−ＳＳＳがＳＦＮ方式に送信され、時間／周波数同期化正確度が単発的（ｏｎｅ−ｓｈｏｔ）なＤＲＳ−ＰＳＳ／ＤＲＳ−ＳＳＳにより高くならない場合に特に有用であるため、拡張ＣＰを利用してＤＲＳ−ＣＳＩ−ＲＳまたはＤＲＳ−ＣＲＳを送信することは、ＵＥ性能に効果的である。しかし、これはデータ及びディスカバリ信号の多重化がレガシＵＥに対して特に難題になることができるという短所を有する。ＤＲＳ信号を生成するために、ただ一つ類型のＣＰがＤＲＳに対して使われる場合、Ｎｃｐが使われない。一般的に、ＤＲＳに対して関連しないＮｃｐ及びサブフレームインデックスは、シーケンス生成のために使われない。これはＵＥが検出のためのまたはＤＲＳが送信される前記ターゲットセルのスロットインデックスまたはＳＦＮを知らない場合に特に重要である。
【０２２８】
７．ＴＤＤ二重化
【０２２９】
ＴＤＤが使われる場合、ＴＤＤ  ＤＬ／ＵＬ構成に依存して、ダウンリンクサブフレームの個数が制限される。サブフレーム＃０／＃５を考慮することがＰＳＳ／ＳＳＳ及びＰＢＣＨ／ＳＩＢ送信のために主に使われ、また、ディスカバリ信号は、前記セルがオン状態である間に送信されることができて、特殊サブフレームを活用することが考慮されなければならない。このような場合で、レガシＵＥに対して、改良されたＵＥが互いに異なる保護区間構成と共にディスカバリ信号送信で構成されることができる特殊サブフレームでレガシＵＥが任意のＲＳを受信することが予定されることができないように長い保護区間が構成されることができる。そのために、特殊サブフレームで特定される新しいＣＳＩ−ＲＳ構成をカバーする新しいＺＰ  ＣＳＩ−ＲＳ構成だけでなく、特殊サブフレームでの新しいＣＳＩ−ＲＳ構成が考慮されることができる。特殊サブフレーム構成のために、（改良されたＵＥのための）データ送信のために、潜在的には使われ、そして、ディスカバリ信号送信のために使われる特殊サブフレーム構成でＵＥは構成されることができる。その代案としては、保護区間がＳＩＢで構成されることと同じ（レガシＵＥに対して同じ）であり、それに対し、ディスカバリ信号がディスカバリ信号送信構成に後続するこのような保護区間で送信されることができるということをＵＥは仮定することができる。このような場合で、ＤＲＳに対するＺＰ  ＣＳＩ−ＲＳ構成が必要でない。
【０２３０】
ＵＥが各々の周波数毎に二重化類型毎に特定パターンのＰＳＳ／ＳＳＳ及び／またはＣＳＩ−ＲＳ／ＣＲＳを仮定することができるようにネットワーク補助情報が利用可能な場合、ＵＥが各周波数階層の二重化モードで構成されることができることに注目する。即ち、改良されたディスカバリ手順が活用される場合、二重化モードを決定するための互いに異なるＰＳＳ／ＳＳＳ位置のブラインドデコーディングが必要でない。さらに、改良されたディスカバリ手順を有するＣＰ長さのブラインドデコーディングが必要でないように（少なくともＤＲＳ送信に対して）各々の周波数で使われるＣＰ長さでＵＥが構成されることができる。
【０２３１】
ＴＤＤ改良された干渉軽減及びトラフィック適応（ｅＩＭＴＡ）が使われる場合、ディスカバリ信号がスケジューリングされるサブフレームは、アップリンクサブフレームに変更される。このような種類の状況を回避するために、システム情報ブロック（ＳＩＢ）によってダウンリンクサブフレームとして構成されるサブフレームのみがディスカバリ信号を送信できることを許容することが考慮される。そうでない場合、ＵＥは、動的シグナリングにより指示されるアップリンクサブフレームに変更されるサブフレームにディスカバリ信号が存在しないと仮定することができる。また、前記構成されたＤＲＳ送信構成によって、ＤＬまたはＵＬサブフレームと関係なくｅＮＢがＤＲＳを送信することも可能である。これは隣接セル測定のために特に有用である。
【０２３２】
前述したように、ｅＩＭＴＡは、特定送信（例えば、アップリンク）に対して原始的に（ｏｒｉｇｉｎａｌｌｙ）割り当てられた特定ＴＤＤアップリンクサブフレームが他の送信（例えば、ダウンリンク）に対して動的に割り当てられる方式である。したがって、ｅＩＭＴＡが前記ネットワークにより付与されたＤＲＳ構成に基づいてＤＲＳ測定を実行するように構成されるＵＥに対して使われる場合、どんなＴＤＤサブフレームが前記ＤＲＳを伝送すると仮定されるかが明らかにならなければならない。従来技術をより向上させるために、本明細書は、前記ＳＩＢにより割り当てられるＴＤＤダウンリンクサブフレームのみが前記ＤＲＳを伝送するサブフレームであると仮定することを提案する。
【０２３３】
特殊ＴＤＤサブフレーム（例えば、ＤｗＰＴＳ及びＵｐＰＴＳ）に対して、以下の改良が本明細書により提案される。
【０２３４】
異なるように通知されない限り、隣接セル間のＤｗＰＴＳ領域に対して、ＵＥは、最も短いＤｗＰＴＳ領域を仮定することができる。または、前記サービングセルから隣接セル間に同じＤｗＰＴＳ構成が使われると仮定することができる。または、ＤｗＰＴＳ領域が（ＵＬ／ＤＬの可能な構成と共に）周波数毎に構成されることができる。
【０２３５】
より詳しくは、従来技術に基づいて、前記ＤＲＳを測定する時、前記ＵＥが前記隣接セルの特殊ＴＤＤサブフレームの正確な長さを知らない技術的な問題点がある。したがって、本明細書は、前記ＤＲＳを測定する時、前記隣接セルの特殊ＴＤＤサブフレームの長さと同じＤｗＰＴＳ領域の長さをＵＥが仮定することを提案する。
【０２３６】
８．短期（ｓｈｏｒｔ−ｔｅｒｍ）測定／検出正確度の取扱
【０２３７】
ＵＥがセルに対するセル検出を頻繁でなく（例えば、２００ｍｓｅｃ毎に）実行する場合を考慮すると、セル検出のレイテンシを増加させないように一回の試みでＵＥがセルを検出し、またはＤＲＳ送信が頻繁に発生すると、一回の場合（ｉｎｓｔａｎｃｅ）のＤＲＳ送信でセルを検出することを実現可能なようにすることが重要である。前記セル検出及び測定実行を向上させるために、一部態様が考慮されなければならない。一態様は、ＤＲＳ送信区間でワンショットのＰＳＳ／ＳＳＳ送信による時間／周波数トラッキングの正確度である。したがって、複数ショットのＰＳＳ／ＳＳＳ送信が必要な場合を考慮することが必要である。複数のＰＳＳ／ＳＳＳを送信するために、複数のサブフレームを介した複数の送信またはサブフレーム内の複数の送信が考慮されることができる。サブフレーム内の複数の送信の問題は、前記セルがオン状態である場合、既存ＲＳを有する複数のＤＲＳに対して難題になるということである。したがって、サブフレーム内の複数の送信が使われる場合、ＣＲＳ送信に対して使われるＯＦＤＭシンボルがＤＲＳ信号送信に対して使われない。また、このような場合で、ＵＥが同じ目的のためにＣＲＳを使用することができるため、既存シグナリングと衝突するＤＲＳは排除されることができる。しかし、これは前記セル状態を認識することができない隣接セル検出の性能に影響を及ぼすことができ、前記セル状態に依存して前記ＤＲＳ送信を変更することは好ましくない。しかし、ＵＥが前記セル状態をディスカバリすることができるメカニズムがある場合、異なるＤＲＳ信号合成（ｃｏｍｐｏｓｉｔｉｏｎ）も考慮されることができる。ＤＲＳ送信が複数のサブフレームを介して発生される場合、潜在的には互いに異なるＴＤＤ  ＤＬ／ＵＬ構成及び互いに異なる二重化及びサブフレーム＃０との衝突を考慮して、繰り返しの個数は、二つのサブフレームを超過しない。特にＴＤＤで、最も特殊なサブフレーム構成と動作するために、二つのサブフレームがＤＲＳ送信のために使われる場合、第２のスロットより第１のスロットでＤＲＳ−ＰＳＳ／ＤＲＳ−ＳＳＳを送信することが好ましい。これは１番目のＤＲＳ−ＰＳＳ／ＤＲＳ−ＳＳＳが２番目のＤＲＳ−ＰＳＳ／ＤＲＳ−ＳＳＳと互いに異なるＯＦＤＭシンボルに配置されることができることを意味する。または、ＤＲＳ−ＰＳＳまたはＤＲＳ−ＳＳＳ繰り返しのみがさらに考慮されることができる。
【０２３８】
測定に対して、チャネル状態変化（例えば、フェーディング、ドップラー等）を反映するための時間に対して複数の測定をすることが依然として好ましいため、繰り返しが発生する場合、（ＤＲＳ−ＣＳＩ−ＲＳのような）測定のために使われる前記ＤＲＳ信号送信区間を減少させることが好ましい。例えば、ＤＲＳ−ＰＳＳ／ＤＲＳ−ＳＳＳが２００ｍｓｅｃ毎に送信される場合、ＤＲＳ−ＣＳＩ−ＲＳは、ＤＲＳ−ＣＳＩ−ＲＳの５個のサンプルが前記測定のために累積されることができる４０ｍｓｅｃ毎に送信されることができる。しかし、ＤＲＳ区間で複数のサブフレームを介して測定ＲＳを繰り返すことも考慮される。
【０２３９】
ＤＲＳが送信されるＰＲＢ位置に対してミューティングが実行される場合を考慮する。即ち、サブフレーム内のＰＲＢが潜在的に複数のセルからＤＲＳのみを伝送することができ、セルがオン状態にもかかわらず、このようなＰＲＢでデータがスケジューリングされることができず、ＤＲＳ信号は、全ての前記ＲＥを利用することができる。一例は、ＰＲＳ構成形式または繰り返されるＣＲＳまたは繰り返されるＣＳＩ−ＲＳ構成を利用することである。さらに、ＰＳＳ／ＳＳＳを繰り返すことも考慮されることができる。ＰＳＳ／ＳＳＳを繰り返すことが考慮される場合、ＰＤＣＣＨが全体システム帯域幅に対して拡張（ｓｐａｎ）される必要があるため、ＰＤＣＣＨのために使われるＯＦＤＭシンボルがＤＲＳのために使われない。また、ＥＰＤＣＣＨがＤＲＳのために全体（ｆｕｌｌ）ＰＲＢのサブセットで構成される場合、ＥＰＤＣＣＨをスケジューリングしないまたはｅＮＢスケジューリングによるＥＰＤＣＣＨの取扱が必要である。即ち、このようなことが仮定される場合、ＵＥは、データ送信またはセル状態またはＥＰＤＣＣＨ構成と関係なくＤＲＳが送信されると仮定することができる。ＤＲＳが設計される場合、ＰＤＣＣＨに対して使われる最大ＯＦＤＭシンボルが仮定され（例えば、１．４Ｍｈｚより大きいシステム帯域幅に対して３個、１．４Ｍｈｚに対して４個）、またはＰＤＣＣＨ送信のために予約された一つまたは二つのＯＦＤＭシンボルを除いてＤＲＳが全てのＯＦＤＭシンボルを使用することができるように構成される場合、ＵＥは、ＰＤＣＣＨが重ならないと仮定することができる。
【０２４０】
９．ＤＲＳに対して複数の信号を利用するセル検出アルゴリズム
【０２４１】
ディスカバリ信号のために複数の信号が利用される場合、セルＩＤ検出、測定などのために、このような信号を活用する複数のアプローチがある。本節は、いくつかの別のアプローチ及び各々のアプローチの可能な利点及び短所を記述する。便宜上、ディスカバリ信号がＰＳＳ、ＳＳＳ及びＣＳＩ−ＲＳまたはＰＳＳ、ＳＳＳ及びＣＲＳを含むことができると仮定する。一つのＤＲＳ送信がただ一つのＰＳＳ、ＳＳＳ及びＣＳＩ−ＲＳまたはＰＳＳ、ＳＳＳ及びＣＲＳを送信するか、または複数が使われることができるかは固定されない。便宜上、本明細書は、各々の信号の一つの送信を利用する一例を説明する。しかし、これは一般性の損失無しで各々の信号の複数の送信に適用されることができる。
【０２４２】
１番目のカテゴリ
【０２４３】
セル検出は、全ての３個の信号を活用する：
【０２４４】
（１）セルＩＤは、［ｎ＿ｃｉｄ＿１]＊ｘｙ＋［ｎ＿ｃｉｄ＿２]＊ｙ＋［ｎ＿ｃｉｄ＿３]を含み、ここで、例えば、ｙは１７であり、ｘは１０である。シーケンスが各信号に対して生成される場合、ＰＳＳは、ｎ＿ｃｉｄ＿１を伝送することができ、または、ＳＳＳは、ｎ＿ｃｉｄ＿２を伝送することができ、または、ＣＳＩ−ＲＳまたはＣＲＳは、ｎ＿ｃｉｄ＿３を伝送することができる。より詳しくは、ｎ＿ｃｉｄ＿２がＣＳＩ−ＲＳ構成／リソースまたはＣＲＳ  ｖ−シフト／リソースの位置を指示するのに利用されることができる。即ち、ｎ＿ｃｉｄ＿２（２番目のセルＩＤ指示子）がＣＳＩ−ＲＳまたはＣＲＳリソースの位置を指示するのに利用されることができる。例えば、ＣＳＩ−ＲＳが使われ、ＣＳＩ−ＲＳのために使われる全ての構成が１０セットである場合、セルＩＤ＝３０８は、ｎ＿ｃｉｄ＿１、ｎ＿ｃｉｄ＿２＝６、ｎ＿ｃｉｄ＿３＝１７として表現されることができ、前記セルに対してＤＲＳを伝送するために構成６が使われることができる。前記位置は、ｎ＿ｃｉｄ＿１及び／またはｎ＿ｃｉｄ＿２からマッピングされ、または類推されることができる。正確な関数は、互いに異なることがある。このようなアプローチの原理は、セルＩＤが信号毎に候補の個数を減少させる複数の信号に分けられ、ＣＲＳまたはＣＳＩ−ＲＳが複数の候補リソース位置を有することができる場合、一部または全体セルＩＤがこのような信号の位置を類推するのに使われることができる。
【０２４５】
（２）セルＩＤは、ＣＲＳまたはＣＳＩ−ＲＳが全体セルＩＤを伝送することができる場合、Ｒｅｌ−８  ＰＳＳ／ＳＳＳと同じである：このような場合、セルＩＤは、さらに分けられることができず、ＰＳＳ及び／またはＳＳＳが再使用されることができる。しかし、セルＩＤ検出は、複数の信号を利用して実行されることができる。例えば、セル検出のためにＰＳＳ／ＳＳＳに依存することの代りに、全ての信号がセルＩＤを検出するために使われる。このような場合、ＰＳＳの検出がＲｅｌ−８実装と同じであり、それに対し、セルＩＤの検出は、ＳＳＳ及び／またはＣＳＩ−ＲＳ（または、ＣＲＳ）を活用するように少し変更されることができる。シーケンスの生成において、互いに異なるリソース位置で同じスクランブルが使われることができるように、ＳＳＳ及びＣＳＩ−ＲＳが結合されて使われることができる。相関（ｃｏｒｒｅｌａｔｉｏｎ）を検出することに対し、ＰＳＳの相関とＳＳＳまたはＣＳＩ−ＲＳ／ＣＲＳのうち一つがセル検出のために使われることができる。
【０２４６】
２番目のカテゴリ
【０２４７】
セル検出は、ＣＳＩ−ＲＳ及び／またはＣＲＳのようなただ一つの信号を活用する。
【０２４８】
（１）２番目のカテゴリが使われる場合、周波数トラッキングまたは時間トラッキングは、ＰＳＳ及び／またはＳＳＳを介して達成されることができる。セルＩＤに対して、共通セルＩＤが使われることができる。小型セル間にネットワーク同期が達成されなくて、小型セル間の送信タイミング差は、最大３νｓを超過することができない場合、ＰＳＳ／ＳＳＳに対して同じセルＩＤを使用することは効果的でない。このような場合、同じセルＩＤは、同期化されたセル間にのみ共有されることができる。したがって、複数のセルＩＤがＰＳＳ及び／またはＳＳＳを検出して検出されることができ、各セルＩＤは、前記ＰＳＳ及び／またはＳＳＳで互いに異なるタイミングまたはグループ化を示す。前記ＩＤ検出されたＰＳＳ／ＳＳＳは、ＣＳＩ−ＲＳまたはＣＲＳに検出されるセルＩＤで縛られない。即ち、時間／周波数トラッキングに使われるシーケンスまたはスクランブルは、セルＩＤ検出のために使われない。その代案としては、前記アプローチで示すように、ＣＳＩ−ＲＳまたはＣＲＳをスクランブリングするために、ＰＳＳ／ＳＳＳにより検出されるＩＤが使われることができる。
【０２４９】
（２）複雑度増加を最小化するために、ＵＥは、二重化類型またはＣＰ長さなどのような全体または一部ネットワーク補助を仮定することができる。
【０２５０】
このようなカテゴリが使われる場合、ディスカバリ信号の組み合わせは、下記の通りである：
【０２５１】
（１）ＣＳＩ−ＲＳセル検出のための時間／周波数トラッキングのためにＰＳＳを仮定するＰＳＳ＋ＣＳＩ−ＲＳは十分である。ＰＳＳを利用する時間／周波数トラッキングの性能が十分でない場合、ＣＳＩ−ＲＳを利用する周波数トラッキングが追加的に考慮されることができる。このような場合、ＣＳＩ−ＲＳのあらかじめ決定された位置が性能の保証に重要である。
【０２５２】
（２）二つのＰＳＳ信号が時間／周波数トラッキングのために使われるＰＳＳ＋ＰＳＳ＋ＣＳＩ−ＲＳがセルＩＤ検出及び測定のために使われる。
【０２５３】
（３）ＰＳＳ＋ＣＲＳ。
【０２５４】
（４）ＰＳＳ＋ＰＳＳ＋ＣＲＳ。及び、
【０２５５】
（５）ＰＳＳ＋ＳＳＳ＋ＣＲＳ（＋ＣＳＩ−ＲＳ）の場合、ＵＥは、スクランブリングＩＤ、ＣＳＩ−ＲＳに対するリソース構成などのようなＣＳＩ−ＲＳ構成で構成される場合にのみＣＳＩ−ＲＳが提示されると仮定することができる。
【０２５６】
複数のＰＳＳが送信される場合、同じサブフレーム内に複数の信号を送信する代わりに、二つまたは複数のサブフレームが活用されることができる。
【０２５７】
３番目のカテゴリ
【０２５８】
セル検出は、ＰＳＳ／ＳＳＳのみを活用する：
【０２５９】
（１）３番目のカテゴリが使われる場合、時間にわたった複数のＰＳＳ／ＳＳＳのアグリゲーションが可能であるということを仮定せずに、セル検出は、Ｒｅｌ−８セル検出でのように実行されることができる（セル検出のレイテンシ（ｌａｔｅｎｃｙ）要求事項に依存して複数のＰＳＳ／ＳＳＳがアグリゲーションされることができるにもかかわらず、ワンショットＰＳＳ／ＳＳＳまたはＤＲＳの一つのバースト（ｂｕｒｓｔ）によりセルＩＤを検出することができることが好ましい）。そして、
【０２６０】
（２）３番目のカテゴリが使われる場合、測定はＰＳＳ／ＳＳＳを利用して実行されることもでき、またはＣＲＳまたはＣＳＩ−ＲＳのような追加的なＲＳが測定のために使われることもできる。
【０２６１】
１０．可能なネットワーク補助情報及びシグナリング
【０２６２】
一般的に、ディスカバリ信号送信位置は、標準により固定され、または上位層により構成されることができる。より高い多重化／直交性を許容するように設計されるため、ディスカバリ信号送信の周期及び／またはオフセットを構成することができることが好ましい。また、オーバーレイされた（ｏｖｅｒｌａｉｄ）マクロがＳＦＮに対して調整されない場合を考慮して、周期及びオフセットを構成する一部柔軟性は利点がある。しかし、ディスカバリ信号送信の位置をプレフィックス（ｐｒｅｆｉｘ）することが依然として実現可能である。
【０２６３】
ディスカバリ信号送信周期及びオフセットがプレフィックスされ、または構成可能かどうかに関係なく、ネットワークディスカバリを補助する一部ネットワーク補助情報が必要である。少なくとも、ＵＥがディスカバリ信号を発見することができる一部タイミングが必要であり、このようなタイミングの時間及び期間は、検出性能要求事項に基づいて決定されることができる。
【０２６４】
一例は、ディスカバリ信号が構成された測定ギャップ以外の領域で送信されることができないことをＵＥが仮定する必要がある場合であるため、測定ギャップを使用することである。したがって、ディスカバリ信号を使用する自動セル検出は、難題になることができる。このような場合、適切なネットワーク協同（ｃｏｏｒｄｉｎａｔｉｏｎ）により、ＵＥ毎に測定ギャップを構成することによって、ディスカバリ信号の周期及びオフセットが与えられることができる。しかし、各々の周波数は、互いに異なるオフセットを使用するため、別個の測定ギャップまたは周期／オフセットが周波数毎に構成されることができる。さらに、ディスカバリ信号が送信されるセルＩＤのリスト及び候補位置のリストがＵＥでのネットワークディスカバリを補助するためにシグナリングされることもできる。候補位置のリストは、あらかじめ決定されることができるため、前記構成が必要でない。
【０２６５】
その代案としては、複数の周波数と周波数毎に異なるオフセットを考慮して、測定ギャップが下記のように構成されることができる：
【０２６６】
＊測定区間：２００ｍｓｅｃのような最大ディスカバリ信号送信区間
＊測定オフセット値
＊｛周波数、オフセット｝のセット
【０２６７】
ここで、ＵＥが与えられたオフセット値で特定周波数に対して測定を実行することができる。非常に多くのオーバーヘッド及び中断（ｉｎｔｅｒｒｕｐｔｉｏｎ）が発生されないように、前記オフセット値は、４０／８０ｍｅｓｃ＋ｄｅｌｔａ＿ｏｆｆｓｅｔのような現在測定ギャップの倍数（ｍｕｌｔｉｐｌｅ）が好ましい。即ち、ＵＥは、ほぼ４０ｍｓｅｃ毎にまたは８０ｍｓｅｃ毎に周波数のセットに対する測定を実行することができ、前記ディスカバリ信号送信区間は、典型的な測定ギャップより大きい。または、互いに異なるオフセットがセルのセット毎に使われることができる。したがって、このような場合で、
【０２６８】
＊測定区間：２００ｍｓｅｃのような最大ディスカバリ信号送信区間
＊測定オフセット値
＊｛周波数、セルＩＤ、オフセット｝のセット
【０２６９】
さらに、ＤＲＳ  ＲＳの位置も支援されることができる。一例は、ＯＦＤＭシンボルまたは周波数に対して‘ＳＳＳ’または‘ＰＳＳ’または追加的な‘ＳＳＳ’または追加的な‘ＰＳＳ’に対する構成情報を付与することである。さらに、ＰＳＳスクランブリングのために使われる各々のＮＣＩＤ（２）によって、ＰＳＳとＳＳＳとの間に使われるギャップは、全てのＮＣＩＤ値（または、マッピングテーブルまたはマッピングテーブルを指示するインデックス）に対して構成されることができる。または、ＣＳＩ−ＲＳ類型ＤＲＳが使われる場合、ＣＳＩ−ＲＳリソース位置とセルＩＤとの間のＣＳＩ−ＲＳ構成またはマッピングが構成されることができる。一例は、各セルが実現可能な構成またはリソース位置間にｃｅｌｌ  ＩＤ％ｍａｘ＿ｃｏｎｆｉｇｕｒａｔｉｏｎ＿ｎｕｍｂｅｒ＋ｏｆｆｓｅｔに自分のＤＲＳを位置させる開始オフセットが与えられることができるＣＳＩ−ＲＳ構成の総数（例えば、１０または２０）である。例えば、オフセット＝０を有する１０  ＣＳＩ−ＲＳ構成が使われる場合、ｃｅｌｌ  ＩＤ％１０＝０は、ＣＳＩ−ＲＳ構成＃０を使用し、ｃｅｌｌ  ＩＤ％１０＝１は、ＣＳＩ−ＲＳ構成＃０を使用する。
【０２７０】
また、現在標準に従うよりは、ディスカバリ信号に対してＶｓｈｉｆｔを有するＣＲＳが使われる場合、セルＩＤとＶｓｈｉｆｔ値との間のマッピングが構成されることができ、上位層シグナリングにより与えられる場合、前記マッピングによって互いに異なるＶｓｈｉｆｔが決定されることができる。
【０２７１】
さらに、ｅＮＢまたはセル間にネットワークタイミング情報が知られていない場合を考慮して、タイミングに対する最大不確実性（ｕｎｃｅｒｔａｉｎｔｙ）は、測定ギャップ適用に対してＵＥが最大不確実性を取るように構成されることができる。最大不確実性と共に、ターゲットセルに対するディスカバリ信号を発見するために、ＵＥは、大きい測定ギャップで構成されることができる。前記大きい測定ギャップは一回または数回だけ使われることができる。ＵＥが前記ディスカバリ信号タイミング情報をディスカバリする場合、より小さい測定ギャップが構成されることができるように、ＵＥは、前記ディスカバリされた“オフセット”をサービングセルに報告することができる。例えば、サービングセルとターゲットセルが“３０ｍｓｅｃ”オフであり、前記サービングセルが前記タイミング情報を知らない場合、４０ｍｓｅｃ毎にディスカバリ信号が送信されることを仮定し、４０＋６＝４６ｍｓｅｃの最大測定ギャップを構成することができる。ＵＥがサービングセルとターゲットセルディスカバリ信号送信間に３０ｍｓｅｃオフセットをディスカバリすると、ＵＥは、前記サービングセルに通知できる。または、前記ＵＥは、ディスカバリ信号が検出される場合、前記サービングセルのＳＦＮまたは前記サブフレームを報告する。または、ｅＮＢは、オフセット値が測定区間毎に変更されることができる複数の測定ギャップパターンを構成することができる。例えば、測定ギャップパターンが与えられることができる。
【０２７２】
｛１０ｍｓｅｃギャップを有する測定ギャップパターン＝１６０ｍｓｅｃ
全域＿オフセット（ｇｌｏｂａｌ＿ｏｆｆｓｅｔ）＝０
全ての４０ｍｓｅｃで、
オフセット値１＝１０
オフセット値２＝２０
オフセット値３＝３０
オフセット値４＝４０
｝
【０２７３】
ここで、測定区間は、１６０ｍｓｅｃになり、互いに異なるオフセット値を有する各々の測定は、４０ｍｓｅｃ毎に発生される。１番目の４０ｍｓｅｃ区間で、１番目のオフセット値１０が使われ、したがって、ＵＥは、（０ｍｓｅｃでの開始を仮定して）４０ｍｓｅｃ＋１０ｍｓｅｃで測定を開始し、２番目の４０ｍｓｅｃ区間に対して２番目のオフセット値２０が使われ、したがって、ＵＥは、８０ｍｓｅｃ＋２０ｍｓｅｃ（１００ｍｓｅｃ）で測定を開始する。最大不確実性が４０ｍｓｅｃであると仮定し、これはＵＥが前記オフセット値を発見する時まで各々の測定エピソード（ｅｐｉｓｏｄｅ）毎に検索ウィンドウを分割することである。ＵＥが前記オフセット値をディスカバリする場合、新しい測定ギャップが構成され、またはＵＥは副オフセット値を無視することができる。
【０２７４】
一部セルは、一周波数でディスカバリ信号を送信することができ、それに対し、他のセルは、ディスカバリ信号を送信することができないということも実現可能なため、あるセルがディスカバリ信号を送信しているかを知ることが好ましく、したがって、ＵＥは、測定のためのディスカバリ信号とセル検出を利用することができる。一つ単純なアプローチは、ディスカバリ信号によりディスカバリ／測定されることができるセルＩＤのリストを送信することである。前記セルＩＤのリストが知られていない、または構成されない場合、前記周波数に対してＤＲＳが構成される場合、前記周波数での前記セルの全ては、ＤＲＳを送信するとＵＥが仮定することができる。レガシ及びＤＲＳベースのセル検出及び測定を全てカバーするインター周波数に対して測定ギャップが使われる場合、ＵＥは、各測定ギャップで検出／測定を両方とも実行することができる。このような場合、ＵＥがレガシ及びＤＲＳ測定を両方とも利用して同じＩＤを有するセルを検出すると、前記セルＩＤが同じであるにもかかわらず、二つのセルが互いに異なり、そして、ＵＥは（可能な検出／測定ＲＳ類型と共に）全ての値を報告することを仮定しなければならない。その代案としては、ＵＥは、前記セルＩＤと同じであると仮定することができ、そして、ＤＲＳベースの検出／測定のみを取ることができる。ＵＥがＤＲＳを送信するセルＩＤのリストで構成される場合、レガシ信号を利用して他のセルを検出するかどうかはＵＥの実装による。前記測定ギャップ構成が与えられると、ＵＥは、全ての検出アルゴリズムを実行することが自由であり、これらを報告する。しかし、ＤＲＳが与えられた周波数に対して構成される場合、ＵＥは、測定／検出（例えば、測定ギャップ）のために構成されたサブフレームでないサブフレームで“レガシ信号ベースの検出／測定”を実行しない。これはＵＥがＤＲＳを送信するセルのＯＮ状態により送信されるレガシ信号を検出し、そして前記セルに対して測定を実行することができる場合を回避するためである。ＵＥが測定を実行する場合、ＵＥは、結果と共に前記ＲＳ類型を報告することができる。
【０２７５】
前述したように、本明細書は、前記セルが知られていないセルであり、特定周波数に対してＤＲＳ構成で構成される場合、ＵＥは、前記周波数での前記セルの全てがＤＲＳを送信することを仮定することができる。したがって、前記ＵＥは、ＵＥのＰ−セルのような知られたセルを仮定することができる。また、前記議論されたように、ＤＲＳは、特定個数の周波数に対して単に構成されることができ、前記ＵＥは、前記構成された周波数に対して前記ＤＲＳ測定のみを実行し、レガシ信号ベースの測定は実行しない。また、前記ＵＥは、非構成された周波数に対してレガシ信号ベースの測定を実行することができる。
【０２７６】
ＵＥがイベントトリガリングされた報告で構成される場合、ＲＳＳＩ測定が互いに異なるため、レガシベースの測定とＤＲＳベースの測定に対してＵＥが互いに異なる閾値で構成されることができるということに注目する。前記測定値は、前記ネットワークに依存し、または前記測定ＲＳ類型またはＲＳＳＩ測定メカニズムによって使われる単一オフセット／デルタ値が前記ＵＥに与えられることができる。ＲＳＳＩを計算することに対し、ディスカバリＲＳを伝送していないＯＦＤＭシンボルまたはサブフレームを使用することを追加的に考慮することができる。一例は、ＤＲＳがＰＳＳ／（ＳＳＳ）／ＣＳＩ−ＲＳを含む場合、ＣＲＳ−ＯＦＤＭシンボル（ターゲットセル状態に関係なく、正規ＣＰでの各々のスロット内の＃０／＃４）に対してＲＳＳＩを活用することである。他の例は、測定ギャップでＲＳＳＩ測定のために非ＤＲＳサブフレーム全体ＯＦＤＭシンボルを使用することである。データ非送信に起因してＲＳＳＩが非常に低い場合、前記ＤＲＳに対するＲＳＲＱ計算がＲＳＲＰ×Ｎ／｛ＲＳＲＰ×Ｎ＋ＲＳＳＩ｝またはＲＳＲＱに対する初期値を生成しないように類似の方法によって実行されることができる。
【０２７７】
本明細書に基づいて、単一または複数の測定ギャップがＵＥに対して構成されることができる。次の実施例は、複数の測定ギャップが構成される状況と主に関連する。
【０２７８】
＊複数の測定ギャップの取扱
【０２７９】
前述したように、ＵＥは、ＤＲＳベースの測定に対して一つの測定ギャップ構成で構成されることができる。
【０２８０】
ＵＥがＤＲＳベースの測定のためのハードウェア制約またはｅＮＢ構成に起因する測定ギャップで構成される場合で、測定ギャップは、レガシパターンまたは（ＵＥが２００ｍｓｅｃ毎に測定ギャップのｍ回の測定を実行することができるデルタオフセット値を有する０ｍｓｅｃ周期のような）緩和されたパターンまたは新しいパターンに従うことができる。
【０２８１】
図１６は、本明細書により提案された複数の測定ギャップ構成を示す。
【０２８２】
＊図１６に示すように、測定ギャップがレガシパターンに従う場合、前記ＵＥは、一つの測定ギャップのみで構成されることができる。
【０２８３】
＊また、前記測定ギャップが前記緩和されたパターンに従う場合、前記ＵＥは、一つがレガシであり、他の一つが緩和されたパターンである最大二つの測定ギャップで構成されることができる。ＵＥは、このような場合、前記緩和されたパターンがレガシパターンのサブセットになるように前記レガシパターンと重なると仮定することができる。または、ＵＥは、（即ち、ＤＲＳベースの測定のための測定ギャップで構成されるが、レガシ信号ベースの測定（または、レガシギャップパターン）のための測定ギャップで構成されない）“非重複”測定ギャップを無視することができ、前記測定のためのこのようなギャップを無視することができる。または、ＵＥは、二つの間に調整されないこのような測定ギャップ内の測定を省略（ｓｋｉｐ）するように強制される。
【０２８４】
＊測定ギャップが新しいパターンに従う場合、前記ＵＥは、三つの全ての測定ギャップがある程度調整されると前記ＵＥが仮定する最大３個の測定ギャップで構成されることができる。前記３個の測定ギャップは、ＤＲＳベースの測定のための測定ギャップ、（緩和されたギャップパターンに従う）緩和された要求事項のための他のギャップと前記レガシギャップのための最後のギャップを含むことができる。まず、ＵＥは、前記緩和されたパターンが前記レガシ測定ギャップパターンのサブセットと仮定することができる。次に、ＵＥは、前記ＤＲＳベースの測定のための測定ギャップが前記緩和された測定ギャップまたは前記レガシ測定ギャップ（または、これらの全て）のサブセットということも仮定することができる。前述の場合と同様に、ＵＥは、緩和されたまたはレガシ測定ギャップ構成とＤＲＳベースの測定のための測定ギャップ間の“非重複”ギャップを無視することができ、または、ＵＥは、このような“非重複”ギャップで測定を実行してはならない。同時に、ＵＥは、他の測定ギャップと調整されないにもかかわらず、このようなギャップに対して測定を実行するように要求できる。例は、下記の通りである。
【０２８５】
ＤＲＳのための測定ギャップを構成する他の可能な方法は、ｍ番目のギャップ毎にレガシギャップパターンに従う測定ギャップのようなレガシ測定ギャップの“倍数”がＤＲＳベースの測定のために使われるように構成することである。
【０２８６】
また、ＤＲＳベースの測定のためのギャップは、図１６に示すように、より短い測定ギャップを有することができる。
【０２８７】
その代案としては、複数の測定ギャップが構成される場合、測定ギャップの全期間は、ギャップパターン０（６ｍｓｅｃギャップを有する４０ｍｓｅｃ）によりカバーされることができる。
【０２８８】
例えば、ギャップパターン１のレガシ測定ギャップがレガシ信号ベースの測定のために構成されることができ、ギャップパターン１の新しい測定ギャップがＤＲＳベースの測定のために構成されることができる。全ての測定ギャップの全サービス中断時間は、ギャップパターン０を超過しないため、ＵＥは、前記測定を実行することができる。二つの測定ギャップが衝突する時、ＵＥは、二つの測定が同時に試みられない場合は、ＤＲＳベースの測定に高い優先順位を付与することができる。
【０２８９】
図１７は、本明細書で提案される測定ギャップ構成と関連する追加的な実施例を示す。
【０２９０】
二つの測定ギャップが構成される場合、ＤＲＳベースの測定のために構成される測定ギャップが前記構成されたレガシ測定ギャップパターンのサブセットにならなければならないという任意の制約を有せずに、提案７を満たす他の可能な選択があるということに注目する（ＵＥは、現在構成可能な測定ギャップより長いサービス中断時間を有してはならない）。ＤＲＳベース及びレガシベースの測定のための独立的な測定ギャップパターン構成を許容する場合、前記二つの構成された測定ギャップパターン（即ち、ＤＲＳベースの測定のための一つ及びレガシベースの測定のための他の一つ）の全てが３ＧＰＰ  ＴＳ  ３６．１３３の表８．１．２．１−１での一つのレガシ測定ギャップによりカバーされなければならない。このような一つの制約に起因して、ＤＲＳベースの測定のための測定ギャップパターンは、例えば、より短いＭＧＬ及び／またはより長いＭＧＲＰに新しく定義されることができる。
【０２９１】
考慮される他のアプローチは、ＵＥが一つ以上のメッセージギャップで構成される場合、ギャップパターンの使用を制限することである。例えば、ＵＥがＤＲＳのための測定ギャップとレガシ信号ベースの測定のための他の測定ギャップで構成される場合、どんな測定ギャップパターンもギャップパターン０に基づいてはならない。このような制約により、二つのサービス時間または測定ギャップは、ギャップパターン０の測定ギャップ（即ち、４０ｍｓｅｃ毎に６ｍｓｅｃ）を超過しない。このように、ＤＲＳのための測定ギャップパターンは、ギャップパターン０または１（即ち、４０ｍｓｅｃまたは８０ｍｓｅｃ）より長い周期及び／またはより短いギャップ期間（即ち、６ｍｓｅｃ）を有しなければならない。このような場合も、前記緩和された測定のためのギャップパターンは、レガシギャップパターンのサブセットにならなければならない。そのために、ＵＥがＤＲＳベースの測定のための測定ギャップパターンとレガシベースの測定のための測定ギャップパターンで構成される場合、ＵＥは、ギャップパターン０で構成されるように予定されてはならない。または、ＵＥがディスカバリ信号ベースの測定のための測定ギャップで構成される場合、ＵＥは、ギャップパターン０で構成されるように予定されてはならない。
【０２９２】
以下、前述された特徴と関連する詳細な例が記述される。
【０２９３】
ＵＥは、セルまたはＴＰ毎にミューティングパターンで構成されることができる。このような場合、ミューティングは、ＲＥ水準で仮定される。
【０２９４】
イントラ周波数に対して、同じ周波数内のサービングセルが活性化される場合、前記ＵＥは、ＣＳＩ−ＲＳベースの測定報告がトリガリングされると仮定してはならない。
【０２９５】
図１１で議論されたように、ＤＲＳ測定のために、周期、オフセット及び期間をシグナリングするために、ＵＥにシグナリングする上位層を介してＤＲＳ構成のセットが提供されることができる。前記ＤＲＳ構成の例は、以下に示すように定義されることができる。詳しくは、次はＮＺＰ−ＣＳＩ−ＲＳ構成のためのものである。ＤＲＳとしてのＣＳＩ−ＲＳに対して、以下で次の構成が提案される。
【０２９６】
【表４】
2017512443.tif 000010
【０２９７】
【表５】
2017512443.tif 000011
【０２９８】
【表６】
2017512443.tif 000012
【０２９９】
【表７】
2017512443.tif 000013
【０３００】
【表８】
2017512443.tif 000014
【０３０１】
【表９】
2017512443.tif 000015
【０３０２】
表７に示すように、ＤＲＳ構成の各々のセットは、前記ＤＲＳの測定周期を指示する“周期（ｐｅｒｉｏｄｉｃｉｔｙ）”、前記測定周期のオフセットを指示する“オフセット（ｏｆｆｓｅｔ）”、前記ＵＥが前記測定周期のうち一周期で前記ＤＲＳを測定する間の時間周期を示す“期間（ｄｕｒａｔｉｏｎ）”のような多数の構成要素を含むことができる。また、表５に示すように、ＤＲＳ構成の各々のセットが周波数（例えば、“搬送波周波数（ｃａｒｒｉｅｒ  Ｆｒｅｑ）”）に基づいて定義される。
【０３０３】
ＵＥがＣＳＩ−ＲＳ構成の明示的なシグナリング無しでトリガリングされるＣＳＩ−ＲＳ−ＲＳＲＰまたはＲＳＲＱで構成される場合、前記ＵＥは、次を仮定しなければならない：
【０３０４】
＊測定周期の間に、またはＭｅａｓＰａｔｔｅｒｎＮｅｉｇｈｂにより、１番目のＤＭＴＣサブフレームから始めて０乃至ｍ−１でインデックスされる“ｍ”個の有効なダウンリンクサブフレームを仮定する。そして、
【０３０５】
＊各々のサブフレームに対して、ＳＳＳが送信される（そして／または、ＰＳＳが送信される）サブフレームを除いて、２０  ＣＳＩ−ＲＳ構成またはプレフィックスされたセットのＣＳＩ−ＲＳ構成が使われ、各々のＣＳＩ−ＲＳのスクランブリングＩＤ（ｉｄｅｎｔｉｆｙ）が関数Ｆ（サブフレームインデックス＝ｍ間にＤＭＴＣ始めからの相対的なオフセット、ＣＳＩ−ＲＳ  ＲＥ構成インデックス）により決定されることができる。
【０３０６】
より詳しくは、ＤＲＳ−ＣＳＩ−ＲＳＣｏｎｆｉｇＦｏｒｍａｔＬｉｓｔで、これは以下で図示されるように構成されることができる。
【０３０７】
【表１０】
2017512443.tif 000016
【０３０８】
また、このような場合、ＣＳＩ−ＲＳが送信されるサブフレームの追加的な指示が送信され、一部関数マッピングは、セルＩＤ毎に構成される上位層である。
【０３０９】
前記ネットワークが同期化されない場合、ＣＳＩ−ＲＳ構成適用可能性。
【０３１０】
少なくともＦＤＤに対して、クラスタ間に多重化／ＩＣＩＣ能力、サブフレームシフトを向上させることが考慮されることができる。このような場合、ＮＺＰ−ＣＳＩ−ＲＳ類似構成が与えられる場合、サブフレームオフセットを適用する方法に対する質問が発生する。本明細書は、サブフレームを下記のように適用することを提案する：
【０３１１】
【表１１】
2017512443.tif 000017
【０３１２】
例えば、サブフレームオフセットは、３９であり、ＳＳＳは、ＤＭＴＣの２番目のサブフレームで送信され、ＣＳＩ−ＲＳは、ＤＲＳ測定タイミング構成（ＤＭＴＣ）の１番目のサブフレームで送信される。
【０３１３】
＊ＤＭＴＣと測定ギャップと間の関係
【０３１４】
図１８は、ＤＲＳに対するＵＥ測定と測定ギャップとの関係を示す。
【０３１５】
ＤＲＳ測定タイミング構成（ＤＭＴＣ）が周波数毎に構成される場合、測定ギャップに基づいてセルディスカバリを実行するＵＥに対して、ＵＥが測定ギャップ内でインター周波数測定を実行することができるように、前記ＤＭＴＣ構成を制約することも必要である。主に、各々の周波数毎にＤＭＴＣ発生（ｏｃｃｕｒｒｅｎｃｅ）の全てまたはこれのサブセットは、測定ギャップパターンのサブセットと調整されなければならない。
【０３１６】
セルをディスカバリするためのＵＥ要求事項に対して、調整されない複数のＤＭＴＣでＵＥが構成される場合、前記要求事項は、ｍ＊ｍａｘ＿ｉｎｔｅｒｖａｌに定義されなければならなく、ここで、ｍａｘ＿ｉｎｔｅｒｖａｌは、前記ＵＥが測定を実行するセルに対する最大区間値である。例えば、一周波数でのＤＭＴＣは８０ｍｓｅｃであり、同じオフセットを有する測定ギャップは４０ｍｓｅｃであり、前記測定区間は、８０ｍｓｅｃである。それに対し、ＤＭＴＣが測定ギャップと調整されずに、ＤＭＴＣが測定ギャップと全３個の測定ギャップで重なる場合、前記セルに対する前記測定区間は、３＊測定ギャップ区間である。ＵＥがモニタリングする必要がある全ての周波数間に、前記区間が決定され、周波数間に最大区間を取ることによって前記要求事項が特定される。
【０３１７】
これを回避するために、ＤＭＴＣ期間と測定ギャップを調整させることが必要である。または、前記要求事項が測定ギャップ区間よりはＤＭＴＣ区間により決定される必要がある場合、ＤＭＴＣは、測定ギャップの倍数である。このような場合にも、測定要求事項での複雑な問題を発生させないように、全ての周波数に対して同じＤＭＴＣ周期を有することが好ましい。また、測定ギャップで、ＤＭＴＣが（存在する場合）調整されることができるように、ＤＭＴＣ及び測定ギャップに対してオフセットを構成することが好ましい。したがって、測定ギャップ内でオフセットの観点でＤＭＴＣの最大オフセットは、前記測定のための少なくとも一つのサブフレームを許容して４ｍｓｅｃより小さいべきである。また、ＴＤＤが構成されることができる場合、重複は、サブフレーム＃０及び／またはサブフレーム＃１（または、＃５／＃６）を含まなければならない。
【０３１８】
＊ＤＲＳ−ＣＳＩ−ＲＳ測定とＵＥ能力の適用
【０３１９】
また、ＤＲＳ−ＣＳＩ−ＲＳが他の場合に拡張されることができるＴＰ識別のためにのみ使われることが仮定されることができる。即ち、セル識別及び測定に対してＤＲＳ−ＣＲＳベースの測定は十分である。このような場合、ＵＥ能力観点で、報告能力またはＣＳＩ−ＲＳベースの測定は、ＵＥ能力をＤＲＳベースの測定能力と別個にすることができる。即ち、ＵＥは、二つの互いに異なる能力を報告することができ、一つは、ＤＲＳ−ＣＲＳベースの測定能力のためのものであり、他の一つは、ＤＲＳ−ＣＳＩ−ＲＳベースの測定能力のためのものである。その代案としては、ＵＥ能力は、ＣｏＭＰ能力と関連されることもできる。例えば、ＵＥが送信モード１０（または、ＣｏＭＰ類似動作をサポートするための改良されたＴＭ）をサポートし、ＵＥがＤＲＳベースの測定をサポートする場合、ＵＥは、ＤＲＳ−ＣＳＩ−ＲＳベースの測定をサポートすることができるということを意味する。このような観点で、ＵＥが送信モード１０（ＴＭ１０）をサポートしない場合、ＤＲＳ−ＣＳＩ−ＲＳベースの測定を構成することは、非常に有用ではない。したがって、ＵＥがＴＭ１０をサポートする場合にのみ、ＤＲＳ−ＣＳＩ−ＲＳベースの測定が構成されることができるということをＵＥが仮定することができる。そうでない場合、前記構成は、前記ＵＥにより無視されることができる。より詳しくは、ＴＭ１０の能力が帯域及び／または帯域の組み合わせ毎にシグナリングされる。したがって、ＤＭＴＣにより構成される周波数に対して、前記周波数または前記周波数が属する周波数帯域でＵＥがＴＭ１０（または、ＣｏＭＰ類似動作または共有セルＩＤ動作をサポートする改良されたＴＭ）をサポートする場合にのみＤＲＳ−ＣＳＩ−ＲＳが構成されることができると前記ＵＥは仮定することができる。ＣＳＩ−ＲＳベースのＲＳＲＰは、特定ＵＥ処理負担を要求するため、ＤＲＳ−ＣＳＩ−ＲＳベースの測定が構成されることができる周波数の数を最小化することが好ましい。本明細書は、ＤＲＳ−ＣＳＩ−ＲＳベースの測定が実行されることができる最大“ｍ”個の周波数でＵＥが構成されることができることを提案する。例えば、ｍは、１に固定されることができ、またはＵＥ能力によりシグナリングされることもできる。例えば、ネットワークがＣＳＩ−ＲＳに基づいてＤＲＳ測定の周波数を構成することができるように、したがって、ＵＥは、ＤＲＳ−ＣＳＩ−ＲＳベースのＲＳＲＰを実行することができる最大個数の周波数を報告することができる。ＵＥが前記能力をシグナリングしない場合、ＴＭ１０がサポートされる周波数帯域がＤＲＳ−ＣＳＩ−ＲＳベースの測定のために構成されることもできると前記ネットワークは仮定することができる。さらに、一周波数でＤＲＳ−ＣＳＩ−ＲＳにより検索される複数のＴＰ／セルがＤＭＴＣ構成でＵＥに構成されることもできる。例えば、ＵＥが前記周波数で全てのＴＰ／セルを検索する必要がないため、前記ＵＥの処理負担を制限することができる、一周波数でＵＥは要求されて検索しているＴＰ／セルの個数で構成されることができる。ＤＲＳ−ＣＳＩ−ＲＳに基づいて報告されるＴＰ／セルの個数は、ＵＥの要求事項として標準に規定されることもできる。
【０３２０】
一方、ＤＲＳ測定区間と関連して前記議論された説明に付加して、ＵＥがＣＳＩ−ＲＳで構成される場合、ＤＭＴＣ区間は４０ｍｓｅｃまたは８０ｍｓｅｃに予定される。１６０ｍｓｅｃ区間は、ＣＳＩ−ＲＳで構成されないと仮定される。その代案としては、１６０ｍｓｅｃ  ＺＰ−ＣＳＩ−ＲＳ構成が追加されることができる。ＵＥがＣＳＩ−ＲＳを利用して１６０ｍｓｅｃ  ＤＲＳで構成される場合、ＤＲＳ測定に対するデータレート整合のために構成されるＺＰ−ＣＳＩ−ＲＳ構成がＤＭＴＣ期間でのみ適用可能であるということをＵＥは仮定することができる。
【０３２１】
図１９は、ＵＥ１９００及びＢＳまたはセル２０００を含む無線通信システムを簡略に記述するブロック図である。前記ＵＥ１９００及び前記ＢＳ２０００は、前述したような記載に基づいて動作できる。ダウンリンクの観点で、送信機は前記ＢＳ２０００の一部であり、受信機は前記ＵＥ１９００の一部である。アップリンクの観点で、送信機は前記ＵＥ１９００の一部であり、受信機は前記ＢＳ２０００の一部である。
【０３２２】
図１９を参照すると、前記ＵＥ１９００は、プロセッサ１９１０、メモリ１９２０及び無線周波数（ＲＦ）ユニット１９３０を含む。
【０３２３】
前記プロセッサ１９１０は、本出願で記述された提案された手順及び／または方法を実現するように構成されることができる。例えば、前記プロセッサ１９１０は、前記ＲＦユニット１９３０と動作可能なように（ｏｐｅｒａｔｉｖｅｌｙ）結合され、ここで、前記プロセッサ１９１０は、ＵＬ及び／またはＤＬに対するスケジューリングに基づいて前記ＲＦユニット１９３０を介して信号を送信するように構成される。前記プロセッサ１９１０は、前記ＲＦユニット１９３０を介して一つのサブフレームでアップリンク上の単一信号の送信及びダウンリンク上の単一信号の受信を実行することができる。
【０３２４】
前記メモリ１９２０は、前記プロセッサ１９１０と結合され、前記プロセッサ１９１０を動作させるためのデータ情報及び／または制御情報を含む、多様な情報を格納する。
【０３２５】
前記ＵＥ１９００の詳細な動作は、前述の通りである。
【０３２６】
前記ＢＳ２０００は、プロセッサ２０１０、メモリ２０２０及び無線周波数（ＲＦ）ユニット２０３０を含むことができる。ここで、前記ＢＳは、ＰセルまたはＳセルであり、前記ＢＳは、マクロセルまたは小型セルである。前記プロセッサ２０１０は、本出願で記述された提案された手順及び／または方法を実現するように構成されることができる。例えば、前記プロセッサ２０１０は、ＵＬ及び／またはＤＬをスケジューリングすることができる。
【０３２７】
前記メモリ２０２０は、前記プロセッサ２０１０と結合され、データ情報及び／または制御情報を含む、前記プロセッサ２０１０を動作させるための多様な情報を格納する。また、前記ＲＦユニット２０３０は、前記プロセッサ２０１０と結合する。また、前記ＲＦユニット２０３０は、前記プロセッサ２０１０と結合する。前記ＲＦユニット２０３０は、無線信号を送信し、そして／または受信することができる。
【０３２８】
前記ＢＳ２０００の詳細な動作は、前述の通りである。
【０３２９】
前記ＵＥ１９００及び／または前記ＢＳ２０００は、単一アンテナまたは複数のアンテナを有することができる。前記無線通信システムは、前記ＵＥ１９００及び前記ＢＳ２０００のうち少なくとも一つが複数のアンテナを有する場合、複数入力／複数出力（ＭＩＭＯ）システムとも呼ばれる。
【０３３０】
議論されたように、図１９において、前記ＵＥ１９００は、前記説明された技術的な特徴を実行する。詳しくは、前記ＵＥは、ディスカバリ信号（例えば、ＤＲＳ）に対する測定構成を受信することができる。前記ＤＲＳ候補は、ＣＲＳ、ＰＳＳ、及びＳＳＳを含むことができる。また、ＣＳＩ−ＲＳの構成に依存して、前記ＤＲＳは、ＣＳＩ−ＲＳをさらに含むことができる。好ましくは、前記測定構成は、構成要素の少なくとも一つのセットを含み、前記構成要素の各々のセットは、対応するセルの周波数毎に定義される。また、前記構成要素の各々のセットは、前記ディスカバリ信号の測定周期、前記測定周期のオフセット及び測定期間を指示する。
【０３３１】
図１９の前記ＵＥ１９００は、前記ディスカバリ信号の測定周期、前記測定周期のオフセット及び前記測定期間に基づいて前記ディスカバリ信号に対する測定を実行する。従来技術で、前記ＣＲＳの周期／区間に対する任意の情報を参照せずに、サブフレーム毎にＣＲＳ測定が実行される。また、ＰＳＳ／ＳＳＳの周期／区間に対する任意の情報を参照せずに、ＰＳＳ／ＳＳＳ測定が実行される。しかし、電力オン／オフ動作をサポートする、小型セルとの通信をサポートするために、本明細書は、ＤＲＳ構成をさらに提案し、各々が特定周波数に対して設定される。したがって、本実施例は、従来技術と異なる特徴がある。
【０３３２】
前述された例のシステムにおいて、前記方法は、一連の前記ステップまたは前記ブロックを利用する前記流れ図に基づいて記述されるにもかかわらず、本発明は、前記一連の前記ステップに限定されるものではなく、前記ステップの一部は、残りのステップと異なるシーケンスで実行されることができ、または前記残りのステップと同時に実行されることができる。また、前述された実施例は、多様な例の態様を含む。したがって、本発明は、請求の範囲内に属する全ての変更、変形、変化を含むと解釈されなければならない。
【０３３３】
本明細書に対する記述において、一要素が他の要素と“連結”または“結合”されると叙述された場合、前記一要素は、前記他の要素と直接連結され、または結合されることができるが、二つの要素間に第３の要素が存在できると理解しなければならない。それに対し、一要素が前記他の要素と“直接連結”または“直接結合”と叙述された場合、前記二つの要素間に第３の要素が存在しないと理解しなければならない。
【図１】
2017512443.tif 000018
【図２】
2017512443.tif 000019
【図３】
2017512443.tif 000020
【図４】
2017512443.tif 000021
【図５】
2017512443.tif 000022
【図６】
2017512443.tif 000023
【図７】
2017512443.tif 000024
【図８】
2017512443.tif 000025
【図９】
2017512443.tif 000026
【図１０】
2017512443.tif 000027
【図１１】
2017512443.tif 000028
【図１２】
2017512443.tif 000029
【図１３（ａ）】
2017512443.tif 000030
【図１３（ｂ）】
2017512443.tif 000031
【図１３（ｃ）】
2017512443.tif 000032
【図１４】
2017512443.tif 000033
【図１５】
2017512443.tif 000034
【図１６】
2017512443.tif 000035
【図１７】
2017512443.tif 000036
【図１８】
2017512443.tif 000037
【図１９】
2017512443.tif 000038
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
端末（ＵＥ：ｕｓｅｒ  ｅｑｕｉｐｍｅｎｔ）により実行される、無線通信システムにおける信号を受信するための制御情報を受信する方法であって、
ディスカバリ信号に対する測定構成を受信するステップであって、前記ディスカバリ信号は、セル特定参照信号（ＣＲＳ：ｃｅｌｌ−ｓｐｅｃｉｆｉｃ  ｒｅｆｅｒｅｎｃｅ  ｓｉｇｎａｌ）、主同期信号（ＰＳＳ：ｐｒｉｍａｒｙ  ｓｙｎｃｈｒｏｎｉｚａｔｉｏｎ  ｓｉｇｎａｌ）、副同期信号（ＳＳＳ：ｓｅｃｏｎｄａｒｙ  ｓｙｎｃｈｒｏｎｉｚａｔｉｏｎ  ｓｉｇｎａｌ）を含み、構成要素の各々のセットは、対応するセルの周波数毎に定義され、前記測定構成は、構成要素の少なくとも一つのセットを含み、前記構成要素の前記各々のセットは、前記ディスカバリ信号の測定周期、前記測定周期のオフセット、及び前記端末が前記測定周期の一周期で前記ディスカバリ信号を測定する測定期間（ｄｕｒａｔｉｏｎ）を指示する、ステップと、
前記測定構成に基づいて前記ディスカバリ信号に対する測定を実行するステップと、を含む、方法。
【請求項２】
時分割複信（ＴＤＤ）サブフレーム内で割当を変化させる、改良された干渉軽減及びトラフィック適応（ｅＩＭＴＡ：ｅｎｈａｎｃｅｄ  Ｉｎｔｅｒｆｅｒｅｎｃｅ  Ｍｉｔｉｇａｔｉｏｎ＆Ｔｒａｆｆｉｃ  Ａｄａｐｔａｔｉｏｎ）が前記端末で使われる場合、前記ディスカバリ信号に対する前記測定は、システム情報ブロック（ＳＩＢ：ｓｙｓｔｅｍ  ｉｎｆｏｒｍａｔｉｏｎ  ｂｌｏｃｋ）により割り当てられるＴＤＤダウンリンクサブフレームでのみ実行される、請求項１に記載の方法。
【請求項３】
前記ディスカバリは、チャネル状態情報参照信号（ＣＳＩ−ＲＳ：ｃｈａｎｎｅｌ  ｓｔａｔｕｓ  ｉｎｆｏｒｍａｔｉｏｎ−ｒｅｆｅｒｅｎｃｅ  ｓｉｇｎａｌ）の構成に依存する前記ＣＳＩ−ＲＳをさらに含み、前記ＣＳＩ−ＲＳの前記構成は、前記ＣＳＩ−ＲＳのインターバルと前記ＣＳＩ−ＲＳのオフセットとを含み、
前記端末は、ゼロ電力ＣＳＩ−ＲＳのために使われるＣＳＩ−ＲＳ構成要素の少なくとも一つのセットを含むチャネル状態情報参照信号（ＣＳＩ−ＲＳ）構成をさらに受信し、前記ＣＳＩ−ＲＳ構成は、ＣＳＩ−ＲＳ構成要素の少なくとも一つのセットを含み、ＣＳＩ−ＲＳ構成要素の各々のセットは、ＣＳＩ−ＲＳインターバル情報とＣＳＩ−ＲＳオフセット情報とを含む、請求項１に記載の方法。
【請求項４】
ＣＳＩ−ＲＳ構成要素の前記少なくとも一つのセットがＣＳＲ−ＲＳ構成要素の複数のセットを含む場合、ＣＳＩ−ＲＳ構成要素の各々のセットは、ＣＳＩ−ＲＳインターバル情報とＣＳＩ−ＲＳオフセット情報とを含み、ＣＳＩ−ＲＳ構成要素の各々のセットは、別々に構成される、請求項３に記載の方法。
【請求項５】
測定ギャップの長さ及び繰り返し周期を指示する測定ギャップ構成を受信するステップをさらに含み、
前記ディスカバリ信号の測定周期は、前記測定ギャップの繰り返し周期の倍数になるように設定される、請求項１に記載の方法。
【請求項６】
前記ディスカバリ信号の測定周期は、４０ｍｓｅｃ、８０ｍｓｅｃ、及び１６０ｍｓｅｃの一つになるように設定される、請求項５に記載の方法。
【請求項７】
前記ディスカバリ信号に対する測定構成は、無線リソース制御（ＲＲＣ：ｒａｄｉｏ  ｒｅｓｏｕｒｃｅ  ｃｏｎｔｒｏｌ）メッセージを介して受信される、請求項１に記載の方法。
【請求項８】
前記ＲＲＣメッセージは、ＲＲＣ接続モードにある前記端末で受信される、請求項７に記載の方法。
【請求項９】
前記ディスカバリ信号に対する前記測定は、前記測定周期の一周期で前記ＳＳＳを伝送する１番目のサブフレームに対して開始される、請求項１に記載の方法。
【請求項１０】
一周波数に対して定義される前記構成要素のセットは、単一測定周期、単一オフセット、及び単一測定期間を含む、請求項１に記載の方法。
【請求項１１】
前記構成要素の前記各々のセットは、同じ周波数を有する複数のセルに適用される、請求項１に記載の方法。
【請求項１２】
前記端末のマクロセルのシステムフレームナンバー（ＳＦＮ：ｓｙｓｔｅｍ  ｆｒａｍｅ  ｎｕｍｂｅｒ）は、前記端末が前記ディスカバリ信号に対して前記測定を実行する期間に参照として使われる、請求項１に記載の方法。
【請求項１３】
前記端末の前記マクロセルは、前記端末の主セル（Ｐ−ｃｅｌｌ：ｐｒｉｍａｒｙ  ｃｅｌｌ）である、請求項１２に記載の方法。
【請求項１４】
端末は、マルチメディア放送／マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）のサービスに対して構成されるサブフレーム内で前記ディスカバリ信号に対する測定を実行しない、請求項１に記載の制御情報受信方法。
【請求項１５】
無線通信システムにおける信号を受信するために制御情報を受信するための端末（ＵＥ：ｕｓｅｒ  ｅｑｕｉｐｍｅｎｔ）であって、
信号を受信するように構成される無線周波数（ＲＦ：ｒａｄｉｏ  ｆｒｅｑｕｅｎｃｙ）部と、
前記ＲＦ部に連結され、ディスカバリ信号に対する測定構成を受信し、前記測定構成に基づいて前記ディスカバリ信号に対する測定を実行するように構成されるプロセッサと、を含み、
前記ディスカバリ信号は、セル特定参照信号（ＣＲＳ：ｃｅｌｌ−ｓｐｅｃｉｆｉｃ  ｒｅｆｅｒｅｎｃｅ  ｓｉｇｎａｌ）、主同期信号（ＰＳＳ：ｐｒｉｍａｒｙ  ｓｙｎｃｈｒｏｎｉｚａｔｉｏｎ  ｓｉｇｎａｌ）、副同期信号（ＳＳＳ：ｓｅｃｏｎｄａｒｙ  ｓｙｎｃｈｒｏｎｉｚａｔｉｏｎ  ｓｉｇｎａｌ）を含み、構成要素の各々のセットは、対応するセルの周波数毎に定義され、前記測定構成は、構成要素の少なくとも一つのセットを含み、前記構成要素の前記各々のセットは、前記ディスカバリ信号の測定周期、前記測定周期のオフセット、及び前記端末が前記測定周期の一周期で前記ディスカバリ信号を測定する測定期間（ｄｕｒａｔｉｏｎ）を指示する、端末。
【国際調査報告】
2017512443.tif 000039
2017512443.tif 000040